(57)【要約】  使用中の電池の残量と、使用中でない電池の残量とを合わせて表示することができ、また、使用中の電池の残量による動作可能時間と、使用中でない電池の残量による動作可能時間とを合わせて表示することができる電子機器、これに用いる電池残量表示方法および動作可能時間表示方法を提供する。  電池からの電力によって動作する電子機器１において、電子機器１に装着された使用中の電池２０から電池ＩＤを読み取るＩＤ読み取り部２と、使用中の電池２０の残量を算出する電池残量算出部４と、電子機器１に選択的に装着した複数の電池の残量を、それぞれの電池ＩＤと対応付けて記憶する電池残量記憶部５と、画面表示部７と、使用中の電池２０の残量を示す第１の残量情報と、電池残量記憶部５に残量を記憶させた使用中の電池以外の非使用中の電池の残量を示す第２の残量情報とを画面表示部７に表示するよう制御する表示制御部とを備える。
2010032319.tif 000002
【特許請求の範囲】
【請求項１】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
画面表示部と、
前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部と
を備えることを特徴とする電子機器。
【請求項２】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
前記複数の電池それぞれの残量に基づいて、前記複数の電池それぞれによって前記電子機器が動作可能な動作可能時間を算出する動作可能時間算出部と、
画面表示部と、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と
を備えることを特徴とする電子機器。
【請求項３】
前記電子機器で使用可能な複数種類の電池の容量を電池の種類情報と対応付けて記憶する電池容量記憶部をさらに備え、
前記電池残量算出部は、前記電池容量記憶部に記憶された電池の容量を用いて電池の残量を算出することを特徴とする請求項１または２に記載の電子機器。
【請求項４】
前記電池残量記憶部は、前記複数の電池の電池ＩＤと対応付けて前記複数の電池それぞれの残量を記憶した残量記憶時刻を記憶することを特徴とする請求項１乃至３のいずれか１項に記載の電子機器。
【請求項５】
前記使用中の電池の残量を既定時間ごとに前記電池残量算出部に算出させ、前記電池残量記憶部に記憶された前記使用中の電池の残量を、前記既定時間ごとに前記電池残量算出部で算出された値に更新するとともに、前記電池残量記憶部に記憶された前記使用中の電池の前記残量記憶時刻を、残量を更新した時刻に変更する残量更新制御部をさらに備えることを特徴とする請求項４に記載の電子機器。
【請求項６】
前記電子機器で使用可能な複数種類の電池の単位時間あたりの自己消費電力を電池の種類情報と対応付けて記憶する自己消費電力記憶部と、
前記電池残量記憶部に記憶された前記残量記憶時刻と現在時刻との差および前記単位時間あたりの自己消費電力に基づいて残量補正値を算出し、前記電池残量記憶部に記憶された電池の残量を前記残量補正値により補正する電池残量補正部と
をさらに備えることを特徴とする請求項４または５に記載の電子機器。
【請求項７】
前記電池残量記憶部に記憶されていない新たな電池が前記電子機器に装着された場合に、前記新たな電池の残量を前記電池残量記憶部に記憶させるか否かをユーザに選択させるためのメッセージを前記画面表示部に表示させるメッセージ送出部と、
前記新たな電池の残量を記憶する指示信号が入力された場合に、前記電池残量算出部により算出された前記新たな電池の残量を、前記新たな電池のＩＤと対応付けて前記電池残量記憶部に記憶させる残量記憶制御部と
をさらに備えることを特徴とする請求項１乃至６のいずれか１項に記載の電子機器。
【請求項８】
前記電池残量記憶部に残量が記憶された電池から選択される１つの電池の残量を消去する指示信号が入力された場合に、前記電池残量記憶部から、前記指示信号により指示された電池の電池ＩＤと残量とを消去する残量消去制御部をさらに備えることを特徴とする請求項１乃至７のいずれか１項に記載の電子機器。
【請求項９】
前記表示制御部は、前記第１の残量情報として前記使用中の電池の残量を示す第１の表示図形と、前記第２の残量情報として前記非使用中の電池の残量を示す第２の表示図形とを個別に前記画面表示部に表示するよう制御することを特徴とする請求項１に記載の電子機器。
【請求項１０】
前記表示制御部は、前記第１および第２の表示図形に対応してそれぞれの電池の電池ＩＤを前記画面表示部に表示するよう制御することを特徴とする請求項９に記載の電子機器。
【請求項１１】
前記第１の表示図形は、前記使用中の電池の容量を示す容量表示部分と前記使用中の電池の残量を示す残量表示部分とを含み、
前記第２の表示図形は、前記非使用中の電池の容量を示す容量表示部分と前記非使用中の電池の残量を示す残量表示部分とを含み、
前記表示制御部は、前記第１および第２の表示図形における前記容量表示部分および残量表示部分を、それぞれの容量および残量に応じた大きさで表示するよう制御することを特徴とする請求項９または１０に記載の電子機器。
【請求項１２】
前記表示制御部は、前記第１および第２の表示図形に対応して、前記容量表示部分に対する前記残量表示部分の比率を前記画面表示部に表示するよう制御することを特徴とする請求項１１に記載の電子機器。
【請求項１３】
前記表示制御部は、前記第１の動作可能時間情報として前記使用中の電池による動作可能時間を示す数字および文字を含む第１の数字文字列と、前記第２の動作可能時間情報として前記非使用中の電池による動作可能時間を示す数字および文字を含む第２の数字文字列とを個別に前記画面表示部に表示するよう制御することを特徴とする請求項２に記載の電子機器。
【請求項１４】
前記表示制御部は、前記第１および第２の数字文字列に対応してそれぞれの電池の電池ＩＤを前記画面表示部に表示するよう制御することを特徴とする請求項１３に記載の電子機器。
【請求項１５】
前記表示制御部は、前記第１の動作可能時間情報として前記使用中の電池による動作可能時間を示す第１の表示図形と、前記第２の動作可能時間情報として前記非使用中の電池による動作可能時間を示す第２の表示図形とを個別に前記画面表示部に表示するよう制御することを特徴とする請求項２に記載の電子機器。
【請求項１６】
前記表示制御部は、前記第１および第２の表示図形に対応してそれぞれの電池の電池ＩＤを前記画面表示部に表示するよう制御することを特徴とする請求項１５に記載の電子機器。
【請求項１７】
前記第１の表示図形は、前記使用中の電池の容量に基づく動作可能時間を示す第１の表示部分と前記使用中の電池の残量に基づく動作可能時間を示す第２の表示部分とを含み、
前記第２の表示図形は、前記非使用中の電池の容量に基づく動作可能時間を示す第１の表示部分と前記非使用中の電池の残量に基づく動作可能時間を示す第２の表示部分とを含み、
前記表示制御部は、前記第１および第２の表示図形における前記第１および第２の表示部分を、それぞれの動作可能時間に応じた大きさで表示するよう制御することを特徴とする請求項１５または１６に記載の電子機器。
【請求項１８】
前記表示制御部は、前記第１および第２の表示図形に対応して、前記第１の表示部分に対する前記第２の表示部分の比率を前記画面表示部に表示するよう制御することを特徴とする請求項１７に記載の電子機器。
【請求項１９】
前記使用中の電池の容量と前記非使用中の電池の容量との合計である合計電池容量を算出するとともに、前記使用中の電池の残量と前記非使用中の電池の残量との合計である合計電池残量を算出する容量残量合算部をさらに備え、
前記表示制御部は、前記合計電池容量を示す合計容量表示部分と前記合計電池残量を示す合計残量表示部分とを含む合計容量残量表示図形を前記画面表示部に表示するよう制御することを特徴とする請求項１に記載の電子機器。
【請求項２０】
前記合計容量残量表示図形における前記合計残量表示部分は、前記第１の残量情報を示す残量表示部分と前記第２の残量情報を示す残量表示部分とを連結したものであることを特徴とする請求項１９に記載の電子機器。
【請求項２１】
前記表示制御部は、前記第１の残量情報を示す残量表示部分と前記第２の残量情報を示す残量表示部分を、それぞれの残量に応じた大きさで表示するよう制御することを特徴とする請求項１９または２０に記載の電子機器。
【請求項２２】
前記表示制御部は、前記合計容量表示部分に対する前記合計残量表示部分の比率を前記画面表示部に表示するよう制御することを特徴とする請求項１９乃至２１のいずれか１項に記載の電子機器。
【請求項２３】
前記使用中の電池の容量と前記非使用中の電池の容量との合計である合計電池容量を算出するとともに、前記使用中の電池の残量と前記非使用中の電池の残量との合計である合計電池残量を算出する容量残量合算部をさらに備え、
前記表示制御部は、前記電子機器が前記合計電池残量により動作可能な動作可能時間を示す数字および文字を含む数字文字列を前記画面表示部に表示するよう制御することを特徴とする請求項２に記載の電子機器。
【請求項２４】
前記使用中の電池の容量と前記非使用中の電池の容量との合計である合計電池容量を算出するとともに、前記使用中の電池の残量と前記非使用中の電池の残量との合計である合計電池残量を算出する容量残量合算部をさらに備え、
前記表示制御部は、前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示するよう制御することを特徴とする請求項２に記載の電子機器。
【請求項２５】
前記合計残り時間表示部分は、前記第１の動作可能時間情報を示す残り時間表示部分と前記第２の動作可能時間情報を示す残り時間表示部分とを連結したものであることを特徴とする請求項２４に記載の電子機器。
【請求項２６】
前記表示制御部は、前記第１の動作可能時間情報を示す残り時間表示部分と前記第２の動作可能時間情報を示す残り時間表示部分を、それぞれの残り時間に応じた大きさで表示するよう制御することを特徴とする請求項２５に記載の電子機器。
【請求項２７】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記使用中の電池の残量を示す第１の残量情報と、前記電池残量記憶部に残量を記憶させた前記使用中の電池以外の非使用中の電池の残量を示す第２の残量情報とを画面表示部に表示する
ことを特徴とする電池残量表示方法。
【請求項２８】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記複数の電池それぞれの残量に基づいて、前記複数の電池それぞれによって前記電子機器が動作可能な動作可能時間を算出し、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを画面表示部に表示する
ことを特徴とする動作可能時間表示方法。
【請求項２９】
前記電子機器で使用可能な複数種類の電池の容量を電池の種類情報と対応付けて記憶する電池容量記憶部から電池の容量を読み出し、
前記電池の残量を前記電池容量記憶部より読み出した電池の容量を用いて算出することを特徴とする請求項２７に記載の電池残量表示方法。
【請求項３０】
前記電子機器で使用可能な複数種類の電池の容量を電池の種類情報と対応付けて記憶する電池容量記憶部から電池の容量を読み出し、
前記電池による動作可能時間を前記電池容量記憶部より読み出した電池の容量を用いて算出することを特徴とする請求項２８に記載の動作可能時間表示方法。
【請求項３１】
前記複数の電池の電池ＩＤと対応付けて前記複数の電池それぞれの残量を記憶した残量記憶時刻を前記電池残量記憶部に記憶することを特徴とする請求項２７または２９に記載の電池残量表示方法。
【請求項３２】
前記複数の電池の電池ＩＤと対応付けて前記複数の電池それぞれの残量を記憶した残量記憶時刻を前記電池残量記憶部に記憶することを特徴とする請求項２８または３０に記載の動作可能時間表示方法。
【請求項３３】
前記使用中の電池の残量を既定時間ごとに算出し、前記電池残量記憶部に記憶された前記使用中の電池の残量を算出した残量に更新するとともに、前記電池残量記憶部に記憶された前記使用中の電池の前記残量記憶時刻を、残量を更新した時刻に変更することを特徴とする請求項３１に記載の電池残量表示方法。
【請求項３４】
前記使用中の電池の残量を既定時間ごとに算出し、前記電池残量記憶部に記憶された前記使用中の電池の残量を算出した残量に更新するとともに、前記電池残量記憶部に記憶された前記使用中の電池の前記残量記憶時刻を、残量を更新した時刻に変更することを特徴とする請求項３２に記載の動作可能時間表示方法。
【請求項３５】
前記電子機器で使用可能な複数種類の電池の単位時間あたりの自己消費電力を電池の種類情報と対応付けて記憶する自己消費電力記憶部から自己消費電力を読み出し、
前記電池残量記憶部に記憶された前記残量記憶時刻と現在時刻との差および前記単位時間あたりの自己消費電力に基づいて残量補正値を算出し、前記電池残量記憶部に記憶された電池の残量を前記残量補正値により補正することを特徴とする請求項３１または３３に記載の電池残量表示方法。
【請求項３６】
前記電子機器で使用可能な複数種類の電池の単位時間あたりの自己消費電力を電池の種類情報と対応付けて記憶する自己消費電力記憶部から自己消費電力を読み出し、
前記電池残量記憶部に記憶された前記残量記憶時刻と現在時刻との差および前記単位時間あたりの自己消費電力に基づいて残量補正値を算出し、前記電池残量記憶部に記憶された電池の残量を前記残量補正値により補正することを特徴とする請求項３２または３４に記載の動作可能時間表示方法。
【請求項３７】
前記電池残量記憶部に記憶されていない新たな電池が前記電子機器に装着された場合に、前記新たな電池の残量を前記電池残量記憶部に記憶させるか否かをユーザに選択させるためのメッセージを前記画面表示部に表示し、
前記新たな電池の残量を記憶する指示信号が入力された場合に、算出された前記新たな電池の残量を、前記新たな電池のＩＤと対応付けて前記電池残量記憶部に記憶させることを特徴とする請求項２７，２９，３１，３３，３５のいずれか１項に記載の電池残量表示方法。
【請求項３８】
前記電池残量記憶部に記憶されていない新たな電池が前記電子機器に装着された場合に、前記新たな電池の残量を前記電池残量記憶部に記憶させるか否かをユーザに選択させるためのメッセージを前記画面表示部に表示し、
前記新たな電池の残量を記憶する指示信号が入力された場合に、算出された前記新たな電池の残量を、前記新たな電池のＩＤと対応付けて前記電池残量記憶部に記憶させることを特徴とする請求項２８，３０，３２，３４，３６のいずれか１項に記載の動作可能時間表示方法。
【請求項３９】
前記電池残量記憶部に残量が記憶された電池から選択される１つの電池の残量を消去する指示信号が入力された場合に、前記電池残量記憶部から、前記指示信号により指示された電池の電池ＩＤと残量とを消去することを特徴とする請求項２７，２９，３１，３３，３５，３７のいずれか１項に記載の電池残量表示方法。
【請求項４０】
前記電池残量記憶部に残量が記憶された電池から選択される１つの電池の残量を消去する指示信号が入力された場合に、前記電池残量記憶部から、前記指示信号により指示された電池の電池ＩＤと残量とを消去することを特徴とする請求項２８，３０，３２，３４，３６，３８のいずれか１項に記載の動作可能時間表示方法。
【請求項４１】
前記第１の残量情報として前記使用中の電池の残量を示す第１の表示図形と、前記第２の残量情報として前記非使用中の電池の残量を示す第２の表示図形とを個別に前記画面表示部に表示することを特徴とする請求項２７に記載の電池残量表示方法。
【請求項４２】
前記第１および第２の表示図形に対応してそれぞれの電池の電池ＩＤを前記画面表示部に表示することを特徴とする請求項４１に記載の電池残量表示方法。
【請求項４３】
前記第１の表示図形は、前記使用中の電池の容量を示す容量表示部分と前記使用中の電池の残量を示す残量表示部分とを含み、
前記第２の表示図形は、前記非使用中の電池の容量を示す容量表示部分と前記非使用中の電池の残量を示す残量表示部分とを含み、
前記第１および第２の表示図形における前記容量表示部分および残量表示部分を、それぞれの容量および残量に応じた大きさで表示するよう制御することを特徴とする請求項４１または４２に記載の電池残量表示方法。
【請求項４４】
前記第１および第２の表示図形に対応して、前記容量表示部分に対する前記残量表示部分の比率を前記画面表示部に表示することを特徴とする請求項４３に記載の電池残量表示方法。
【請求項４５】
前記第１の動作可能時間情報として前記使用中の電池による動作可能時間を示す数字および文字を含む第１の数字文字列と、前記第２の動作可能時間情報として前記非使用中の電池による動作可能時間を示す数字および文字を含む第２の数字文字列とを個別に前記画面表示部に表示することを特徴とする請求項２８に記載の動作可能時間表示方法。
【請求項４６】
前記第１および第２の数字文字列に対応してそれぞれの電池の電池ＩＤを前記画面表示部に表示することを特徴とする請求項４５に記載の動作可能時間表示方法。
【請求項４７】
前記第１の動作可能時間情報として前記使用中の電池による動作可能時間を示す第１の表示図形と、前記第２の動作可能時間情報として前記非使用中の電池による動作可能時間を示す第２の表示図形とを個別に前記画面表示部に表示することを特徴とする請求項２８に記載の動作可能時間表示方法。
【請求項４８】
前記第１および第２の表示図形に対応してそれぞれの電池の電池ＩＤを前記画面表示部に表示することを特徴とする請求項４７に記載の動作可能時間表示方法。
【請求項４９】
前記第１の表示図形は、前記使用中の電池の容量に基づく動作可能時間を示す第１の表示部分と前記使用中の電池の残量に基づく動作可能時間を示す第２の表示部分とを含み、
前記第２の表示図形は、前記非使用中の電池の容量に基づく動作可能時間を示す第１の表示部分と前記非使用中の電池の残量に基づく動作可能時間を示す第２の表示部分とを含み、
前記第１および第２の表示図形における前記第１および第２の表示部分を、それぞれの動作可能時間に応じた大きさで表示することを特徴とする請求項４７または４８に記載の動作可能時間表示方法。
【請求項５０】
前記第１および第２の表示図形に対応して、前記第１の表示部分に対する前記第２の表示部分の比率を前記画面表示部に表示することを特徴とする請求項４９に記載の動作可能時間表示方法。
【請求項５１】
前記使用中の電池の容量と前記非使用中の電池の容量との合計である合計電池容量を算出するとともに、前記使用中の電池の残量と前記非使用中の電池の残量との合計である合計電池残量を算出し、
前記合計電池容量を示す合計容量表示部分と前記合計電池残量を示す合計残量表示部分とを含む合計容量残量表示図形を前記画面表示部に表示することを特徴とする請求項２７に記載の電池残量表示方法。
【請求項５２】
前記合計容量残量表示図形における前記合計残量表示部分は、前記第１の残量情報を示す残量表示部分と前記第２の残量情報を示す残量表示部分とを連結したものであることを特徴とする請求項５１に記載の電池残量表示方法。
【請求項５３】
前記第１の残量情報を示す残量表示部分と前記第２の残量情報を示す残量表示部分を、それぞれの残量に応じた大きさで表示することを特徴とする請求項５１または５２に記載の電池残量表示方法。
【請求項５４】
前記合計容量表示部分に対する前記合計残量表示部分の比率を前記画面表示部に表示することを特徴とする請求項５１乃至５３のいずれか１項に記載の電池残量表示方法。
【請求項５５】
前記使用中の電池の容量と前記非使用中の電池の容量との合計である合計電池容量を算出するとともに、前記使用中の電池の残量と前記非使用中の電池の残量との合計である合計電池残量を算出し、
前記電子機器が前記合計電池残量により動作可能な動作可能時間を示す数字および文字を含む数字文字列を前記画面表示部に表示することを特徴とする請求項２８に記載の動作可能時間表示方法。
【請求項５６】
前記使用中の電池の容量と前記非使用中の電池の容量との合計である合計電池容量を算出するとともに、前記使用中の電池の残量と前記非使用中の電池の残量との合計である合計電池残量を算出し、
前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示することを特徴とする請求項２８に記載の動作可能時間表示方法。
【請求項５７】
前記合計残り時間表示部分は、前記第１の動作可能時間情報を示す残り時間表示部分と前記第２の動作可能時間情報を示す残り時間表示部分とを連結したものであることを特徴とする請求項５６に記載の動作可能時間表示方法。
【請求項５８】
前記第１の動作可能時間情報を示す残り時間表示部分と前記第２の動作可能時間情報を示す残り時間表示部分を、それぞれの残り時間に応じた大きさで表示するよう制御することを特徴とする請求項５７に記載の動作可能時間表示方法。
【発明の詳細な説明】
【技術分野】
【０００１】
本発明は、電池により駆動される電子機器、これに用いる電池残量表示方法および動作可能時間表示方法に関する。
【背景技術】
【０００２】
従来、複数の電池を装着可能な電子機器において、使用中の電池の残量は表示可能であるが、すべての電池に対する残量表示ができず、ユーザはすべての電池の残量の合計を把握することができなかった。【０００３】
これに対し、特許文献１では、電池の測定電圧と残量との対比を記した表と、各々の電池の単独での測定電圧を平均計算する手段とを用いて個々の電池の残量を求め、この結果から複数の電池の合計残量を算出し、画面表示する技術が提案されている。【０００４】
また、特許文献２には、カメラ本体内の電池と補助電源であるバッテリグリップ内の電池とを、消耗に応じて選択的に使用し、２つの電池を合わせた全体の電池消耗経過を画面表示する技術が開示されている。
【特許文献１】特開平５−９９９９８号公報
【特許文献２】特開２００６−３５０１号公報
【発明の開示】
【発明が解決しようとする課題】
【０００５】
ビデオカメラ、デジタルカメラ等の携帯型電子機器の場合、機器の大きさや重量はユーザにとっての利便性、携帯性に大きな影響を及ぼすものであり、複数の電池を同時に装着することは、ユーザに不利益を与えることになる。よって、携帯型電子機器の場合、機器に取り付ける電池は１個とし、他の電池は交換用として機器に装着しない状態でユーザが携帯するのが一般的である。【０００６】
この場合、機器に表示される電池残量は、機器に装着されて使用中の電池の残量のみであり、機器に装着されていない他の電池の残量を合算して表示することはできない。このため、ユーザは、使用中の電池以外に交換用として携帯している電池等も含めた合計の残量や、この残量による機器の動作可能時間を把握することができなかった。【０００７】
上述の特許文献１，２はいずれも、機器に装着されている電池の残量を表示するものであり、機器に装着されていない電池の残量を表示することはできなかった。【０００８】
本発明は上記に鑑みてなされたもので、使用中の電池の残量と、使用中でない電池の残量とを合わせて表示することができ、また、使用中の電池の残量による動作可能時間と、使用中でない電池の残量による動作可能時間とを合わせて表示することができる電子機器、これに用いる電池残量表示方法および動作可能時間表示方法を提供することを目的とする。
【課題を解決するための手段】
【０００９】
本発明の一態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、画面表示部と、前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部とを備えることを特徴とする電子機器が提供される。【００１０】
本発明の他の態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、前記複数の電池それぞれの残量に基づいて、前記複数の電池それぞれによって前記電子機器が動作可能な動作可能時間を算出する動作可能時間算出部と、画面表示部と、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部とを備えることを特徴とする電子機器が提供される。【００１１】
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記使用中の電池の残量を示す第１の残量情報と、前記電池残量記憶部に残量を記憶させた前記使用中の電池以外の非使用中の電池の残量を示す第２の残量情報とを画面表示部に表示することを特徴とする電池残量表示方法が提供される。【００１２】
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記複数の電池それぞれの残量に基づいて、前記複数の電池それぞれによって前記電子機器が動作可能な動作可能時間を算出し、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを画面表示部に表示することを特徴とする動作可能時間表示方法が提供される。
【発明の効果】
【００１３】
本発明によれば、使用中の電池の残量と、使用中でない電池の残量とを合わせて表示することができる。また、使用中の電池の残量による動作可能時間と、使用中でない電池の残量による動作可能時間とを合わせて表示することができる。
【図面の簡単な説明】
【００１４】
【図１】本発明の第１の実施の形態に係る電子機器の構成を示すブロック図である。
【図２Ａ】第１の実施の形態における電子機器の動作を示すフローチャートである。
【図２Ｂ】第１の実施の形態における電子機器の動作を示すフローチャートである。
【図３】第１の実施の形態における記憶済み電池の残量補正処理の手順を示すフローチャートである。
【図４】第１の実施の形態における残量表示処理の手順を示すフローチャートである。
【図５】第１の実施の形態における残量表示画面の一例を示す図である。
【図６】図５における合計容量残量表示図形を示す図である。
【図７】図５における個別容量残量表示図形を示す図である。
【図８】第１の実施の形態における残量表示画面の他の例を示す図である。
【図９】第１の実施の形態における残量表示画面のさらに他の例を示す図である。
【図１０】使用中の電池の残量を記憶するか否かをユーザに選択させるためのメッセージを表示した残量表示画面の一例を示す図である。
【図１１】電池残量記憶部に記憶されている残量を消去するためのメッセージを表示した残量表示画面の一例を示す図である。
【図１２】電池における電池ＩＤの表示例を示す図である。
【図１３】本発明の第２の実施の形態に係る電子機器の構成を示すブロック図である。
【図１４Ａ】第２の実施の形態における電子機器の動作を示すフローチャートである。
【図１４Ｂ】第２の実施の形態における電子機器の動作を示すフローチャートである。
【図１５】第２の実施の形態における動作可能時間表示処理の手順を示すフローチャートである。
【図１６】第２の実施の形態における動作可能時間表示画面の一例を示す図である。
【図１７】図１６における合計動作可能時間表示図形を示す図である。
【図１８】図１６における個別動作可能時間表示図形を示す図である。
【発明を実施するための最良の形態】
【００１５】
以下、本発明を実施するための最良の形態について、図面を参照して説明する。【００１６】
（第１の実施の形態）
図１は、本発明の第１の実施の形態に係る電子機器の構成を示すブロック図である。図１に示すように、第１の実施の形態に係る電子機器１は、ＩＤ読み取り部２と、電池容量記憶部３と、電池残量算出部４と、電池残量記憶部５と、容量残量合算部６と、画面表示部７と、メッセージ送出部８と、操作入力部９と、計時部１０と、自己消費電力記憶部１１と、電池残量補正部１２と、制御部１３と、ＲＯＭ（Read Only Memory）１４と、ＲＡＭ（Random Access Memory）１５と、電源部１６と、電源スイッチ１７とを備える。【００１７】
電子機器１は、電池２０が装着可能に構成されており、電池２０から供給される電力により駆動される。具体的には、電子機器１は、電池２０を装着する電池装着部２００を備えており、電池装着部２００に電池２０が装着されている。電池装着部２００は、電池２０の端子と接続する端子（図示せず）を有する。電池装着部２００は、電池２０を少なくとも１つ装着するものであればよい。電池装着部２００には複数の電池２０が選択的に装着される。【００１８】
電池２０は、電池固有の電池ＩＤを保持するＩＤ記憶部２１と、電子機器１に電力を供給する電力供給部２２とを備える。電池ＩＤは当該電池の種類を示す電池種類情報を含むことが好ましい。例えば、電池ＩＤの先頭が“１”であれば３０分用の電池、“２”であれば６０分用の電池、“３”であれば９０分用の電池のように、電池ＩＤ自体に電池種類情報を含ませることができる。あるいは、電子機器１が何番から何番までの電池ＩＤが３０分用の電池で、何番から何番までの電池ＩＤが６０分用の電池で、何番から何番までの電池ＩＤが９０分用の電池であるという情報を有していてもよい。【００１９】
ＩＤ読み取り部２は、電子機器１に装着された使用中の電池２０のＩＤ記憶部２１から電池ＩＤを読み取る。【００２０】
電池容量記憶部３は、電子機器１で使用可能な複数種類の電池それぞれの容量を電池種類情報と対応付けて予め記憶する。【００２１】
電池残量算出部４は、電池２０の残量を算出する。残量は、例えば電池２０の端子電圧を測定することにより算出することができる。具体的には、端子電圧を測定することによって電池２０の残量がどの程度減少しているかを検出することができる。電池残量算出部４は、電池容量記憶部３からの電池容量と測定した端子電圧とに基づいて、複数種類の電池それぞれの容量に対する残量を算出することができる。【００２２】
電池２０として、当該電池の容量と残量をデータとして電子機器１に供給するものが存在する。電池２０としてこの種の電池を採用した場合には、電池容量記憶部３は削除可能であり、電池残量算出部４は、電池２０から供給される残量データに基づいて電池２０の残量を算出すればよい。【００２３】
電池残量記憶部５は、電池残量算出部４により算出された電池２０の残量を、電池２０の電池ＩＤ、残量を記憶した時刻である残量記憶時刻と対応付けて記憶する。電池残量記憶部５には、後述するように、電子機器１（電池装着部２００）に装着したことがあり、ユーザが電池の残量を記憶する指示を行った電池の残量が、その電池の電池ＩＤおよび残量記憶時刻と対応付けて記憶されている。このように、１つの電池ＩＤに対して、残量と残量記憶時刻とを対応付けて記憶することが好ましい。電池の残量は時間の経過によって減少するので、後述のように、残量記憶時刻を記憶することによって記憶済み電池の残量を補正することが可能となる。記憶済み電池の残量を補正するという機能を省くことも可能であり、この場合は、電池ＩＤと残量とを対応付けて記憶すればよい。【００２４】
容量残量合算部６は、使用中の電池２０の容量と、電池残量記憶部５に残量が記憶された電池である記憶済み電池のうち使用中の電池２０以外の記憶済み電池の容量との合計である合計電池容量を算出するとともに、使用中の電池２０の残量と、使用中の電池２０以外の記憶済み電池の残量との合計である合計電池残量を算出する。【００２５】
画面表示部７は、電池の容量および残量を示す後述の合計容量残量表示図形や個別容量残量表示図形、および各種のメッセージ等を表示する。【００２６】
メッセージ送出部８は、ユーザに対する各種のメッセージを画面表示部７に送出し、これを表示させる。【００２７】
操作入力部９は、ユーザが電子機器１を操作するための入力を行う部分であり、ユーザ操作に基づく操作信号を制御部１３に出力する。【００２８】
計時部１０は、時刻を計時する。この計時部１０は、電池２０が取り外されている場合も動作可能なように、電子機器１に内蔵される電池２０以外の電池などの電源（図示せず）からの電力により動作を行う。【００２９】
自己消費電力記憶部１１は、電子機器１で使用可能な複数種類の電池それぞれの自己消費電力を電池種類情報と対応付けて予め記憶する。【００３０】
電池残量補正部１２は、電池残量記憶部５に残量が電池ＩＤおよび残量記憶時刻と対応付けられて記憶された電池である記憶済み電池の残量記憶時刻と現在時刻との差、および自己消費電力記憶部１１から得られる単位時間あたりの自己消費電力に基づいて残量補正値を算出し、記憶済み電池の残量を残量補正値により補正する。【００３１】
制御部１３は、プログラムに応じた処理を行うことによって、電子機器１全体の動作を制御する。制御部１３による制御内容としては、ＩＤ読み取り部２からの電池ＩＤの読み取り、電池容量記憶部３からの容量の読み取り、電池残量算出部４の制御、残量等の電池残量記憶部５への記憶、容量残量合算部６の制御、画面表示部７の表示制御、メッセージ送出部８の制御、操作入力部９からの入力に応じた操作の実行、計時部１０からの時刻情報の取得、自己消費電力記憶部１１からの自己消費電力の読み取り、電池残量補正部１２の制御、電源スイッチ１７に応じた電源のＯＮ／ＯＦＦ制御、ＲＯＭ１４内のデータの読み取り、各種の演算処理等が挙げられる。【００３２】
制御部１３は、使用中の電池２０の残量を示す第１の残量情報と、電池残量記憶部５に残量を記憶させた使用中の電池以外の非使用中の電池の残量を示す第２の残量情報とを画面表示部７に表示するよう制御する表示制御部として機能する。【００３３】
また、制御部１３は、記憶済み電池のうち、使用中の電池２０の残量を既定時間Ｔごとに電池残量算出部４に算出させ、電池残量記憶部５に記憶された使用中の電池２０の残量および残量記憶時刻を更新するようになっており、残量更新制御部として機能する。【００３４】
また、制御部１３は、電池残量記憶部５に残量が記憶されていない新たな電池が電子機器１に装着され、この新たな電池の残量を記憶する指示信号が入力された場合に、新たな電池の残量を、当該電池の電池ＩＤおよび残量記憶時刻と対応付けて電池残量記憶部５に記憶させるようになっており、残量記憶制御部として機能する。【００３５】
また、制御部１３は、電池残量記憶部５から、ユーザ操作より指示された電池の残量、当該残量に対応する電池ＩＤ、および残量記憶時刻を消去するようになっており、残量消去制御部として機能する。【００３６】
ＲＯＭ１４は、後述する既定時間Ｔ、残量の既定値Ｃmin、制御部１３の動作のためのプログラム等を格納する。【００３７】
ＲＡＭ１５は、一時的なデータの保存や演算時における制御部１３のワーク領域として使用される。【００３８】
電源部１６は、電池２０の電力供給部２２から電力を受け取り、電子機器１に電力を供給して駆動させる。【００３９】
電源スイッチ１７は、ユーザが電子機器１の電源ＯＮ／ＯＦＦを操作するための入力を行う部分であり、ユーザ操作に応じて電源部１６に対して電力の供給を指示する。【００４０】
次に、第１の実施の形態に係る電子機器１の動作について説明する。【００４１】
図２Ａ、図２Ｂは、電子機器１の動作を示すフローチャートである。まず、図２ＡのステップＳ１０において、ＩＤ読み取り部２は、電子機器１に装着された使用中の電池２０のＩＤ記憶部２１に記憶された電池ＩＤを読み取り、これを制御部１３に出力する。【００４２】
次いで、ステップＳ２０において、制御部１３は、電池残量記憶部５に残量が電池ＩＤおよび残量記憶時刻と対応付けて記憶されているすべての記憶済み電池の電池ＩＤを読み出す。【００４３】
次いで、ステップＳ３０において、制御部１３は、電池残量記憶部５に記憶されている各記憶済み電池の残量の補正を行うために残量補正処理を行う。この残量補正処理の手順については後述する。【００４４】
次いで、ステップＳ４０において、制御部１３は、使用中の電池２０の電池ＩＤに含まれる電池種類情報に基づいて、使用中の電池２０の容量ＣＡを電池容量記憶部３から読み出す。【００４５】
次いで、ステップＳ５０において、制御部１３は、使用中の電池２０の電池ＩＤに基づいて、使用中の電池２０の残量が電池残量記憶部５に記憶されているか否かを判断する。記憶されている場合（ステップＳ５０：ＹＥＳ）、ステップＳ６０に進み、記憶されていない場合（ステップＳ５０：ＮＯ）、ステップＳ９０に進む。【００４６】
ステップＳ６０では、制御部１３は、使用中の電池２０を除くすべての記憶済み電池の容量を電池容量記憶部３から読み出し、読み出した容量の合計ＣＡmemを容量残量合算部６に算出させる。【００４７】
以上で求めた使用中の電池２０の容量ＣＡと、使用中の電池２０を除くすべての記憶済み電池の容量の合計ＣＡmemを加算すれば、使用可能なすべての電池の容量となるので、ステップＳ７０において、制御部１３は、容量残量合算部６にＣＡとＣＡmemとを加算した合計電池容量ＣＡallを算出させる。【００４８】
次いで、ステップＳ８０において、制御部１３は、使用中の電池２０を除くすべての記憶済み電池の残量を電池残量記憶部５より読み出し、読み出した残量の合計ＣＲmemを容量残量合算部６に算出させる。その後、図２ＢのステップＳ２２０に進む。【００４９】
図２Ａにおいて、使用中の電池２０の残量が電池残量記憶部５に記憶されていない場合（ステップＳ５０：ＮＯ）、ステップＳ９０において、制御部１３は、使用中の電池２０の残量ＣＲを電池残量算出部４に算出させる。【００５０】
次いで、ステップＳ１００において、制御部１３は、電池残量記憶部５に残量が記憶されているすべての記憶済み電池の容量の合計ＣＡmemを容量残量合算部６に算出させ、ステップＳ１１０において、制御部１３は、ＣＡとＣＡmemとを加算した合計電池容量ＣＡallを容量残量合算部６に算出させる。【００５１】
次いで、ステップＳ１２０において、制御部１３は、すべての記憶済み電池の残量を電池残量記憶部５より読み出し、読み出した残量の合計ＣＲmemを容量残量合算部６に算出させ、ステップＳ１３０において、制御部１３は、ＣＲmemと使用中の電池２０の残量ＣＲとを合計した合計電池残量ＣＲallを容量残量合算部６に算出させる。【００５２】
次いで、ステップＳ１４０において、制御部１３は、以上で求めた使用中の電池２０の容量ＣＡ、使用中の電池２０の残量ＣＲ、合計電池容量ＣＡall、および合計電池残量ＣＲall等を用いて、使用中の電池２０、その他の記憶済み電池、および合計した電池の残量表示を画面表示部７に行わせる。ここで表示する残量の表示形態は、後述の残量表示処理で説明する表示形態と同様である。【００５３】
次いで、図２ＢのステップＳ１５０において、制御部１３は、現在使用中の電池２０の残量を電池残量記憶部５に記憶するか否かをユーザに選択させるためのメッセージをメッセージ送出部８から送出させ、画面表示部７に表示させる。メッセージの表示例については後述する。【００５４】
ここで、メッセージを表示する理由について説明する。ユーザは、電池が電子機器１に装着されるまでは、その電池の残量の状況を知ることはできない。装着した電池の残量がほとんどないこともあり得る。残量が少ない電池を記憶しても僅かな時間だけしか使用できないので、残量が少ない電池の残量は記憶しない方が好ましい場合がある。そこで、「記憶しない」という選択肢が必要となる。なお、上述のステップＳ１４０で行う残量表示は、ユーザが電池の残量を記憶するか否かの判断にあたり、現在の残量の状況をユーザに認知させることを目的としている。【００５５】
次いで、ステップＳ１６０において、制御部１３は、電源スイッチ１７が押下されているか否かを判断し、押下されている場合（ステップＳ１６０：ＹＥＳ）、ステップＳ１７０において、制御部１３は、電源ＯＦＦ処理を行う。【００５６】
電源スイッチ１７が押下されていない場合（ステップＳ１６０：ＮＯ）、ステップＳ１８０において、制御部１３は、現在使用中の電池２０の残量ＣＲが、ＲＯＭ１４に格納された既定値Ｃmin以上であるか否かを判断する。【００５７】
既定値Ｃmin以上である場合（ステップＳ１８０：ＹＥＳ）、ステップＳ１９０に進み、既定値Ｃminより小さい場合（ステップＳ１８０：ＮＯ）、ステップＳ１７０において、制御部１３は、電源ＯＦＦ処理を行う。これは、電池２０の残量ＣＲが既定値Ｃminより小さい場合は、電子機器１を実質的に動作させることができないので、電源スイッチ１７の押下がなくても電子機器１の動作を自動的に停止させるためである。【００５８】
ステップＳ１９０では、制御部１３は、ステップＳ１５０のメッセージに対する操作入力が操作入力部９に対して行われたか否かを判断する。操作入力が行われた場合（ステップＳ１９０：ＹＥＳ）、ステップＳ２００に進み、操作入力が行われなかった場合（ステップＳ１９０：ＮＯ）、ステップＳ１６０に戻り、以降の処理を繰り返す。【００５９】
ステップＳ２００では、制御部１３は、操作入力部９からの操作信号に基づき、「記憶する」が選択されたか否かを判断する。「記憶する」が選択された場合（ステップＳ２００：ＹＥＳ）、ステップＳ２１０に進み、「記憶しない」が選択された場合（ステップＳ２００：ＮＯ）、ステップＳ２２０に進む。【００６０】
ステップＳ２１０では、制御部１３は、計時部１０から現在の時刻を読み出し、使用中の電池２０の残量ＣＲ、電池ＩＤ、および現在の時刻を残量記憶時刻として対応付けて電池残量記憶部５に書き込む。【００６１】
次いで、ステップＳ２２０では、制御部１３は、残量表示処理を行う。この残量表示処理の手順については後述する。【００６２】
次に、前述した図２ＡのステップＳ３０における記憶済み電池の残量補正処理について説明する。【００６３】
電池は、自己放電や電池内部に設けられた保護回路などの消費電力をもつため、回路負荷が未接続の状態でも、僅かではあるが残量を消費してしまう。したがって、電池残量記憶部５に残量を記憶してから長時間使用しない状態が続いた場合には、電池残量記憶部５に記憶されている残量と実際の残量との間には差が発生してしまう。この残量の差を補正するための処理が、以下に説明する残量補正処理である。【００６４】
図３は、記憶済み電池の残量補正処理の手順を示すフローチャートである。まず、ステップＳ３１０において、制御部１３は、電池残量記憶部５に残量が記憶されている記憶済み電池があるか否かを判断する。記憶済み電池がある場合（ステップＳ３１０：ＹＥＳ）、ステップＳ３２０に進み、記憶済み電池がない場合（ステップＳ３１０：ＮＯ）、処理を終了する。【００６５】
ステップＳ３２０では、制御部１３は、記憶済み電池のうち、現在使用中の電池２０を除く各記憶済み電池の残量記憶時刻を電池残量記憶部５から読み出し、ステップＳ３３０では、制御部１３は、計時部１０から現在の時刻を読み出す。【００６６】
次いで、ステップＳ３４０において、制御部１３は、各記憶済み電池の残量記憶時刻と現在時刻との時間差を算出する。【００６７】
次いで、ステップＳ３５０において、制御部１３は、各記憶済み電池の電池ＩＤに含まれる電池種類情報に基づき、各記憶済み電池の単位時間あたりの自己消費電力を自己消費電力記憶部１１から読み出す。【００６８】
次いで、ステップＳ３６０において、制御部１３は、自己消費電力記憶部１１から読み出した単位時間あたりの自己消費電力と、ステップＳ３４０で算出した時間差とを乗算することにより、各記憶済み電池の残量を補正するための残量補正値を算出するように電池残量補正部１２を制御する。【００６９】
次いで、ステップＳ３７０において、制御部１３は、現在使用中の電池２０を除く記憶済み電池の残量を電池残量記憶部５から読み出し、ステップＳ３８０において、制御部１３は、読み出した残量を、ステップＳ３６０で算出した残量補正値を用いて補正するように電池残量補正部１２を制御する。【００７０】
そして、ステップＳ３９０において、制御部１３は、電池残量補正部１２で算出した各記憶済み電池の補正後の残量を電池残量記憶部５に対して上書きするとともに、各記憶済み電池の残量記憶時刻を補正時の時刻に変更する処理を行う。【００７１】
次に、図２Ｂの前述したステップＳ２２０における残量表示処理について説明する。【００７２】
図４は、残量表示処理の手順を示すフローチャートである。まず、ステップＳ４１０において、制御部１３は、電源スイッチ１７が押下されているか否かを判断し、押下されている場合（ステップＳ４１０：ＹＥＳ）、ステップＳ４２０において、制御部１３は、電源ＯＦＦ処理を行う。【００７３】
電源スイッチ１７が押下されていない場合（ステップＳ４１０：ＮＯ）、ステップＳ４３０において、制御部１３は、前回の残量更新時からＲＯＭ１４内の既定時間Ｔが経過したか否かを判定する。既定時間Ｔが経過した場合（ステップＳ４２０：ＹＥＳ）、ステップＳ４４０に進み、既定時間Ｔが経過していない場合（ステップＳ４２０：ＮＯ）、ステップＳ４１０に戻る。【００７４】
ステップＳ４４０では、制御部１３は、現在使用中の電池２０の残量ＣＲを電池残量算出部４に算出させる。【００７５】
次いで、ステップＳ４５０において、制御部１３は、ステップＳ４４０で算出された使用中の電池２０の残量ＣＲが、ＲＯＭ１４に格納された既定値Ｃmin以上であるか否かを判断する。残量ＣＲが既定値Ｃmin以上である場合（ステップＳ４５０：ＹＥＳ）、ステップＳ４６０に進み、残量ＣＲが既定値Ｃminより小さい場合（ステップＳ４５０：ＮＯ）、ステップＳ４２０において、制御部１３は、電源ＯＦＦ処理を行う。【００７６】
ステップＳ４６０では、制御部１３は、使用中の電池２０の残量が、電池残量記憶部５に記憶されているか否かを判断する。記憶されている場合（ステップＳ４６０：ＹＥＳ）、ステップＳ４７０に進み、記憶されていない場合（ステップＳ４６０：ＮＯ）、ステップＳ４８０に進む。【００７７】
ステップＳ４７０では、制御部１３は、使用中の電池２０の残量ＣＲを電池残量記憶部５に対して上書き（更新）するとともに、残量記憶時刻を残量の上書きを行った時刻に変更する処理を行う。【００７８】
ここで、使用中の電池の残量の算出ごとに電池残量記憶部５への上書き（更新）を行う理由について述べる。【００７９】
電子機器１の電力は、電子機器１に装着されている電池から供給されるので、電池が取り外された場合は電子機器１に電力が供給されなくなる。電池の残量が電池残量記憶部５に記憶されている場合、この残量は電池の取り外し時には更新される必要がある。【００８０】
この実現手段としては、電池が取り外されるのを検出して、取り外される前に残量を記憶する方法が考えられる。この方法の場合、電池が取り外されるのを検出するスイッチなどが必要となり、構造が複雑化し、コストアップの要因ともなる。【００８１】
そこで、上記で説明したように、既定時間Ｔの短い時間間隔で使用中の電池の残量を更新しておけば、電池の取り外し時にあらためて残量を記憶する必要がなくなり、電池の取り外しを検出するためのスイッチなどを用いる必要がなくなる。【００８２】
次いで、ステップＳ４８０において、制御部１３は、使用中の電池２０の残量ＣＲと先に算出したＣＲmemとを合計した合計電池残量ＣＲallを容量残量合算部６に算出させる。【００８３】
次いで、ステップＳ４９０において、制御部１３は、使用中の電池２０の容量ＣＡ、使用中の電池２０の残量ＣＲ、先に求めた合計電池容量ＣＡall、および合計電池残量ＣＲall等を用いて、使用中の電池２０、その他の記憶済み電池、および合計した電池の残量表示を画面表示部７に行わせる。その後、ステップＳ４３０に戻り、以降の処理を繰り返す。【００８４】
次に、画面表示部７における残量の表示例について説明する。【００８５】
図５は、第１の実施の形態における残量表示画面の一例を示す図であり、３つの電池の残量表示を行う場合を示す図、図６は、図５における合計容量残量表示図形を示す図、図７は、図５における個別容量残量表示図形を示す図である。【００８６】
図５に示すように、残量表示画面３０には、３つの電池の合計電池容量と合計電池残量とを示す合計容量残量表示図形３１と、個々の電池の容量と残量とを個別に示す個別容量残量表示図形３２Ａ〜３２Ｃとが表示される。【００８７】
ここで、個別容量残量表示図形３２Ａ〜３２Ｃは電池Ａ〜Ｃに対応し、各電池の容量は、電池Ｃの容量＞電池Ａの容量＞電池Ｂの容量、という関係にあり、各電池の容量に対する残量の比率は、電池Ａが８０％、電池Ｂが５０％、電池Ｃが１００％であるものとする。【００８８】
図５は、残量を電池残量記憶部５に最初に記憶した順番に従って表示を行うようにした場合の残量表示画面の一例であり、電池Ａ→電池Ｂ→電池Ｃの順番で残量を記憶し、電池Ａを使用している場合の表示例である。【００８９】
図５に示すように、合計容量残量表示図形３１には、電池Ａ〜Ｃの容量の合計を示す合計容量表示部分３１１と、電池Ａ〜Ｃの残量を示す残量表示部分３１２Ａ〜３１２Ｃとが表示される。残量表示部分３１２Ａ〜３１２Ｃは直列的に連結して表示され、電池Ａ〜Ｃの残量の合計を示す合計残量表示部分を構成する。個別容量残量表示図形３２Ａ〜３２Ｃには、対応する電池Ａ〜Ｃの容量を示す容量表示部分３２１Ａ〜３２１Ｃと、残量を示す残量表示部分３２２Ａ〜３２２Ｃとがそれぞれ表示される。【００９０】
合計容量残量表示図形３１および個別容量残量表示図形３２Ａ〜３２Ｃは、それぞれに対応する容量に応じた大きさで表示され、合計容量残量表示図形３１の合計容量表示部分３１１の長さ３３が、個別容量残量表示図形３２Ａ〜３２Ｃの容量表示部分３２１Ａ〜３２１Ｃの長さの合計になるように表示される。個別容量残量表示図形３２Ａ〜３２Ｃの容量表示部分３２１Ａ〜３２１Ｃの長さは、電池Ａ〜Ｃの容量に応じた長さで表示される。【００９１】
残量表示部分３１２Ａ〜３１２Ｃは、それぞれに対応する残量に応じた大きさで表示され、残量表示部分３１２Ａ〜３１２Ｃの長さ３５〜３７は、電池Ａ〜Ｃの残量の大きさに応じた長さで表示される。また、個別容量残量表示図形３２Ａ〜３２Ｃの残量表示部分３２２Ａ〜３２２Ｃの長さが、合計容量残量表示図形３１の残量表示部分３１２Ａ〜３１２Ｃの長さ３５〜３７と同じになるように表示される。【００９２】
また、合計容量残量表示図形３１における合計容量表示部分３１１の長さ３３と、残量表示部分３１２Ａ〜３１２Ｃの合計の長さ３４との比率が、３つの電池の合計電池容量と合計電池残量との比率と同じになるように表示される。また、個別容量残量表示図形３２Ａにおいて、容量表示部分３２１Ａの長さ３８と、残量表示部分３２２Ａの長さ３９との比率が、電池Ａの容量と残量との比率と同じになるように表示される。個別容量残量表示図形３２Ｂ，３２Ｃについても同様である。【００９３】
合計容量残量表示図形３１における残量表示部分３１２Ａ〜３１２Ｃと、個別容量残量表示図形３２Ａ〜３２Ｃにおける残量表示部分３２２Ａ〜３２２Ｃとは、それぞれ対応する形態で表示され、ユーザが対応関係を視認できるようになっている。【００９４】
また、使用中の電池Ａの残量表示部分３１２Ａ，３２２Ａと、その他の電池Ｂ，Ｃの残量表示部分３１２Ｂ，３２２Ｂ，３１２Ｃ，３２２Ｃとが区別できるような形態で表示される。図示例では、残量表示部分３１２Ａ，３２２Ａが使用中の電池の残量であることを示す斜線表示され、残量表示部分３１２Ｂ，３２２Ｂ，３１２Ｃ，３２２Ｃと一目で区別可能な形態となっている。【００９５】
個別容量残量表示図形３２Ａ〜３２Ｃは、対応する電池Ａ〜Ｃの残量を電池残量記憶部５に最初に記憶した順番にしたがって、上から個別容量残量表示図形３２Ａ，３２Ｂ，３２Ｃの順番で配列されている。【００９６】
合計容量残量表示図形３１においては、使用中の電池Ａに対応する残量表示部分３１２Ａを図示右端側とし、使用していない電池Ｂ，Ｃに対応する残量表示部分３１２Ｂ，３１２Ｃのうち、残量を記憶した順番が早い電池Ｂの残量表示部分３１２Ｂが電池Ａの残量表示部分３１２Ａに近い位置になるようにして、残量表示部分３１２Ａ〜３１２Ｃが直列的に配置される。使用中の電池Ａの残量が減少すると、残量表示部分３１２Ａの右端側の先端から左に向かって残量表示部分３１２Ａを縮小することで、ユーザが残量の減少を視認しやすいように表示される。【００９７】
合計容量残量表示図形３１に隣接して設けられる残量比率表示部４１には、３つの電池の合計電池容量に対する合計電池残量の比率（図示例では８０％）が表示される。【００９８】
個別容量残量表示図形３２Ａに隣接して設けられる残量比率表示部４２，４３には、電池Ａの容量に対する残量の比率（図７の図示例では８０％）、合計電池残量に対する電池Ａの残量（図７の図示例では３３．３％）がそれぞれ表示される。また、電池ＩＤ表示部４４には、電池Ａの電池ＩＤが表示される。個別容量残量表示図形３２Ｂ，３２Ｃに対しても、同様の内容が表示される。【００９９】
図８は、第１の実施の形態における残量表示画面の他の例を示す図である。なお、図８において、図５と重複する部分には同一の符号を付し、重複する説明を省略する。【０１００】
図８に示す残量表示画面３０Ａは、図５に示した残量表示画面３０と同様に、残量を電池残量記憶部５に記憶した順番に従って表示を行うようにした場合の残量表示画面の一例であるが、図５の残量表示画面３０と異なる点は、使用中の電池が電池Ｃである点である。【０１０１】
図８では、電池Ｃの残量表示部分３１２Ｃ，３２２Ｃが、使用中の電池の残量であることを示す斜線表示され、電池Ａ，Ｂの残量表示部分３１２Ｂ，３２２Ｂ，３１２Ｃ，３２２Ｃと一目で区別可能な形態となっている。【０１０２】
残量表示画面３０Ａの合計容量残量表示図形３１においては、使用中の電池Ｃに対応する残量表示部分３１２Ｃを図示右端側とし、使用していない電池Ａ，Ｂに対応する残量表示部分３１２Ａ，３１２Ｂのうち、残量を記憶した順番が早い電池Ａの残量表示部分３１２Ａが電池Ｃの残量表示部分３１２Ｃに近い位置になるように、残量表示部分３１２Ａ〜３１２Ｃが直列的に配置される。【０１０３】
このように、合計容量残量表示図形３１においては、使用中の電池の残量は記憶順にかかわらず右端側に表示することで、ユーザが残量の減少を視認しやすくなる。【０１０４】
図９は、第１の実施の形態における残量表示画面のさらに他の例を示す図である。なお、図９において、図５と重複する部分には同一の符号を付し、重複する説明を省略する。【０１０５】
図９は、電池Ａを使用し、残量の大きい順番に従って表示を行うようにした場合の残量表示画面の一例であり、個別容量残量表示図形３２Ａ〜３２Ｃは、上から個別容量残量表示図形３２Ｃ，３２Ａ，３２Ｂの順番で配列されている。【０１０６】
図９に示す残量表示画面３０Ｂの合計容量残量表示図形３１においては、使用中の電池Ａに対応する残量表示部分３１２Ａを図示右端側とし、使用していない電池Ｂ，Ｃに対応する残量表示部分３１２Ｂ，３１２Ｃのうち、残量が大きい電池Ｃの残量表示部分３１２Ｃが電池Ａの残量表示部分３１２Ａに近い位置になるように、残量表示部分３１２Ａ〜３１２Ｃが直列的に配置される。【０１０７】
このような残量表示画面３０Ｂによれば、ユーザが各電池の残量をより把握しやすくなる。【０１０８】
以上説明した残量表示画面３０，３０Ａ，３０Ｂにおいては、合計容量残量表示図形３１と個別容量残量表示図形３２Ａ〜３２Ｃとの双方を同時に表示した例を示しているが、合計容量残量表示図形３１のみであってもよく、個別容量残量表示図形３２Ａ〜３２Ｃのみであってもよい。勿論、双方を表示することが好ましい。合計容量残量表示図形３１と個別容量残量表示図形３２Ａ〜３２Ｃとを選択的に表示するようにしてもよい。さらには、図形を表示することが好ましいが、５０％，８０％のような容量を直接的に表す数字文字列のみであってもよい。使用中の電池２０の残量を示す第１の残量情報と、電池残量記憶部５に残量を記憶させた使用中の電池以外の非使用中の電池の残量を示す第２の残量情報を表示するものであればよい。【０１０９】
次に、メッセージの表示例について説明する。【０１１０】
図１０は、現在使用中の電池の残量を電池残量記憶部５に記憶するか否かをユーザに選択させるためのメッセージを表示した残量表示画面の一例を示す図である。なお、図１０において、図５と重複する部分には同一の符号を付し、重複する説明を省略する。【０１１１】
前述した図２ＢのステップＳ１５０で説明したように、使用中の電池の残量が少ない場合は、この電池の残量を記憶しないという選択肢が必要となる。よって、使用中の電池の残量を電池残量記憶部５に記憶するか否かをユーザに選択させるためのメッセージを画面表示部７に表示する必要がある。【０１１２】
図１０に示す残量表示画面３０Ｃは、図８に示した残量表示画面３０Ａに対し、使用中の電池の残量を電池残量記憶部５に記憶するか否かをユーザに選択させるためのメッセージボックス５０を追加して表示したものである。メッセージボックス５０には、記憶することを指示するための「記憶する」ボタン５１と、記憶しないことを指示するための「記憶しない」ボタン５２とが表示される。【０１１３】
ユーザは、操作入力部９の操作により、残量を記憶する電池を選択するための選択枠５３と、「記憶する」ボタン５１または「記憶しない」ボタン５２を選択するための選択枠５４とを残量表示画面３０Ｃ上で所望の位置に移動させ、決定するための操作を行うことにより、選択肢に応じた動作を電子機器１に行わせることができる。【０１１４】
次に、電池残量記憶部５に記憶されている残量の消去について説明する。【０１１５】
ユーザは、電子機器１の使用状況に応じて、持ち歩く電池の数量を決定するものであり、この場合、持ち歩かない電池の残量表示を画面表示部７から削除する必要がある。また、残量がすでになくなってしまった電池の残量表示についても同様である。【０１１６】
図１１は、電池残量記憶部５に記憶されている残量を消去するためのメッセージを表示した残量表示画面の一例を示す図である。なお、図１１において、図５と重複する部分には同一の符号を付し、重複する説明を省略する。【０１１７】
図１１に示す残量表示画面３０Ｄは、図５に示した残量表示画面３０に対し、選択された電池の残量を電池残量記憶部５から消去するか否かをユーザに選択させるためのメッセージボックス５５を追加して表示したものである。メッセージボックス５５には、消去することを指示するための「消去する」ボタン５６と、消去しないことを指示するための「消去しない」ボタン５７とが表示される。【０１１８】
ユーザは、操作入力部９の操作により、残量を消去する電池を選択するための選択枠５８と、「消去する」ボタン５６または「消去しない」ボタン５７を選択するための選択枠５９とを残量表示画面３０Ｄ上で所望の位置に移動させ、決定するための操作を行う。【０１１９】
ユーザ操作により１つの電池が選択され、「消去する」ボタン５６が選択されると、制御部１３は、選択された電池の残量、電池ＩＤ、および残量記憶時刻を電池残量記憶部５から消去するとともに、選択された電池に対応する、合計容量残量表示図形３１における残量表示部分および個別容量残量表示図形を残量表示画面３０Ｄから削除するように画面表示部７を制御する。【０１２０】
次に、電池における電池ＩＤの表示例について説明する。【０１２１】
上記で説明したように、各電池の個別容量残量表示図形に対応してそれぞれの電池ＩＤが画面表示部７に表示される。ユーザは、表示された残量と電池ＩＤとにより、次に使用する電池を選択することができる。この場合、電池自体に電池ＩＤが視認でできる表示が必要になる。【０１２２】
図１２は電池における電池ＩＤの表示例を示す図である。図１２に示すように、電池２０の表面には、電池ＩＤを印刷したラベル２３が設けられている。ラベル２３において電池ＩＤは、画面表示部７に個別容量残量表示図形に対応付けられて表示される電池ＩＤと同一の形態で表示される。【０１２３】
上記説明のように、第１の実施の形態によれば、電子機器１で使用した電池の残量を電池残量記憶部５に記憶することで、現在使用中の電池の残量に加えて、使用中でない電池の残量も合算して画面表示部７により表示することができ、ユーザはすべての電池の合計残量を容易に把握することができる。【０１２４】
なお、図５〜図１１において、使用中でない電池と区別する方法として使用中の電池の残量表示部分を斜線で示したが、これに限定されるものではなく、色、模様、光沢、質感などを変えることによって区別してもよい。【０１２５】
また、合計容量残量表示図形３１および個別容量残量表示図形３２Ａ〜３２Ｃは、図５、図８〜図１１で示した表示位置関係に限定されるものではない。例えば図９おいて、個別容量残量表示図形３２Ａ〜３２Ｃを残量の大きい順に上から順に配列する例を示したが、残量の小さい順に上から配列してもよい。【０１２６】
（第２の実施の形態）
図１３は、本発明の第２の実施の形態に係る電子機器の構成を示すブロック図である。なお、図１３に示す第２の実施の形態の構成要素において、第１の実施の形態と同様の構成要素については同一の符号を付し、詳細な説明は省略する。【０１２７】
図１３に示すように、第２の実施の形態に係る電子機器１Ａは、図１に示す第１の実施の形態に係る電子機器１に対し、平均消費電力算出部１８と、平均消費電力記憶部１９とを追加した構成である。【０１２８】
平均消費電力算出部１８は、電池残量算出部４により算出される残量の単位時間あたりの減少値から電子機器１Ａの平均消費電力を算出する。なお、平均消費電力算出部１８は、電池２０の電力供給部２２から電子機器１Ａに供給される単位時間あたりの電力より平均消費電力を算出する構成としてもよい。【０１２９】
平均消費電力記憶部１９は、平均消費電力算出部１８で算出された電子機器１Ａの平均消費電力を記憶する。【０１３０】
制御部１３は、各電池の残量および合計電池残量と、平均消費電力記憶部１９に記憶された平均消費電力とから、各電池の残量および合計電池残量による動作可能時間をそれぞれ算出する動作可能時間算出部として機能する。また、制御部１３は、電池の残量に基づく電子機器１Ａの動作可能時間を示す後述の合計時間表示図形や個別時間表示図形等を画面表示部７に表示させる。【０１３１】
次に、第２の実施の形態に係る電子機器１Ａの動作について説明する。【０１３２】
図１４Ａ、図１４Ｂは、電子機器１Ａの動作を示すフローチャートである。図１４Ａ、図１４Ｂにおいて、ステップＳ５１０〜Ｓ６３０，Ｓ６８０〜Ｓ７４０の処理は、第１の実施の形態で説明した図２Ａ、図２ＢのフローチャートのステップＳ１０〜Ｓ２２０と同様であるため詳細な説明を省略し、第１の実施の形態との相違箇所であるステップＳ６４０〜Ｓ６７０，Ｓ７５０について主に説明する。【０１３３】
図１４Ａにおいて、ステップＳ６４０では、制御部１３は、予め平均消費電力算出部１８で算出されて平均消費電力記憶部１９に記憶された電子機器１Ａの平均消費電力を読み出す。【０１３４】
次いで、ステップＳ６５０において、制御部１３は、電子機器１Ａの平均消費電力とステップＳ５９０で算出した使用中の電池２０の残量ＣＲとに基づき、使用中の電池２０の残量ＣＲによる動作可能時間を算出する。【０１３５】
次いで、ステップＳ６６０において、制御部１３は、電子機器１Ａの平均消費電力とステップＳ６３０で算出した合計電池残量ＣＲallとに基づき、合計電池残量ＣＲallによる合計の動作可能時間を算出する。また、制御部１３は、電池残量記憶部５に記憶された各記憶済み電池の残量と電子機器１Ａの平均消費電力とに基づき、各記憶済み電池の残量による動作可能時間を算出する。【０１３６】
次いで、ステップＳ６７０において、制御部１３は、以上で求めた使用中の電池２０の残量ＣＲによる動作可能時間、合計電池残量ＣＲallによる合計の動作可能時間、および各記憶済み電池の残量による動作可能時間等を用いて、使用中の電池２０、その他の記憶済み電池、および合計した電池の残量に基づく動作可能時間の表示を画面表示部７に行わせる。ここで表示する動作可能時間の表示形態は、後述の動作可能時間表示処理で説明する表示形態と同様である。【０１３７】
図１４ＢのステップＳ７５０では、制御部１３は、動作可能時間表示処理を行う。ステップＳ７５０における動作可能時間表示処理の手順について、図１５に示すフローチャートを参照して説明する。【０１３８】
図１５において、ステップＳ８１０〜Ｓ８８０の処理は、第１の実施の形態で説明した図４のフローチャートのステップＳ１０〜Ｓ４８０と同様であるため詳細な説明を省略し、第１の実施の形態との相違箇所であるステップＳ８９０〜Ｓ９２０について主に説明する。【０１３９】
ステップＳ８９０では、制御部１３は、平均消費電力記憶部１９に記憶された電子機器１Ａの平均消費電力を読み出す。【０１４０】
次いで、ステップＳ９００において、制御部１３は、電子機器１Ａの平均消費電力とステップＳ８４０で算出した使用中の電池２０の残量ＣＲとに基づき、使用中の電池２０の残量ＣＲによる動作可能時間を算出する。【０１４１】
次いで、ステップＳ９１０において、制御部１３は、電子機器１Ａの平均消費電力とステップＳ８８０で算出した合計電池残量ＣＲallとに基づき、合計電池残量ＣＲallによる合計の動作可能時間を算出する。【０１４２】
そして、ステップＳ９２０において、制御部１３は、以上で求めた使用中の電池２０の残量ＣＲによる動作可能時間、合計電池残量ＣＲallによる合計の動作可能時間等を用いて、使用中の電池２０、その他の記憶済み電池、および合計した電池の残量に基づく動作可能時間の表示を画面表示部７に行わせる。その後、ステップＳ８３０に戻り、以降の処理を繰り返す。【０１４３】
図１６は、第２の実施の形態における動作可能時間表示画面の一例を示す図、図１７は、図１６における合計時間表示図形を示す図、図１８は、図１６における個別時間表示図形を示す図である。なお、図１６〜図１８において、図５〜図７と重複する部分には同一の符号を付し、重複する説明を省略する。【０１４４】
図１６に示す動作可能時間表示画面３０Ｅは、図５の残量を、残量に基づいた電子機器１Ａの動作可能時間に置換し、それぞれの動作可能時間を、電池残量記憶部５に残量を記憶した順番に従って表示を行うようにした場合の動作可能時間表示画面の一例である。図１６は、電池Ａ→電池Ｂ→電池Ｃの順番で残量を記憶し、電池Ａを使用しており、使用中の電池Ａの残量による動作可能時間が１時間（１ｈ００ｍ）、電池Ｂの残量による動作可能時間が３０分（０ｈ３０ｍ）、電池Ｃの残量による動作可能時間が１時間３０分（１ｈ３０ｍ）である場合の表示例を示している。【０１４５】
図１６に示すように、動作可能時間表示画面３０Ｅは、図５に示した残量表示画面３０に対し、合計容量残量表示図形３１を合計時間表示図形３１ｔに置き換え、個別容量残量表示図形３２Ａ〜３２Ｃを個別時間表示図形３２Ａｔ〜３２Ｃｔに置き換えたものである。【０１４６】
合計時間表示図形３１ｔは、３つの電池の合計電池容量による電子機器１Ａの動作可能時間（３つの電池がすべて満充電であるときの電子機器１Ａの動作可能時間）と合計電池残量による電子機器１Ａの動作可能時間とを示す。個別時間表示図形３２Ａｔ〜３２Ｃｔは、個々の電池の容量による電子機器１Ａの動作可能時間（個々の電池が満充電であるときの電子機器１Ａの動作可能時間）と残量による電子機器１Ａの動作可能時間とを個別に示す。【０１４７】
また、動作可能時間表示画面３０Ｅは、図５に示した残量表示画面３０に対し、合計容量表示部分３１１を合計時間表示部分３１１ｔに、残量表示部分３１２Ａ〜３１２Ｃを残り時間表示部分３１２Ａｔ〜３１２Ｃｔに、容量表示部分３２１Ａ〜３２１Ｃを個別時間表示部分３２１Ａｔ〜３２１Ｃｔに、残量表示部分３２２Ａ〜３２２Ｃを残り時間表示部分３２２Ａｔ〜３２２Ｃｔにそれぞれ置き換えたものである。【０１４８】
合計時間表示部分３１１ｔは、電池Ａ〜Ｃの容量による電子機器１Ａの動作可能時間の合計（電池Ａ〜Ｃがすべて満充電であるときの電子機器１Ａの動作可能時間）を示し、残り時間表示部分３１２Ａｔ〜３１２Ｃｔは、対応する電池Ａ〜Ｃの電池Ａ〜Ｃの残量による電子機器１Ａの動作可能時間を示す。残り時間表示部分３１２Ａｔ〜３１２Ｃｔは直列的に連結して表示され、電池Ａ〜Ｃの残量による動作可能時間の合計を示す合計残り時間表示部分を構成する。個別時間表示部分３２１Ａｔ〜３２１Ｃｔは、対応する電池Ａ〜Ｃの容量による電子機器１Ａの動作可能時間（電池Ａ〜Ｃがすべて満充電であるときの個々の電池による電子機器１Ａの動作可能時間）を示し、残り時間表示部分３２２Ａｔ〜３２２Ｃｔは、対応する電池Ａ〜Ｃの残量による電子機器１Ａの動作可能時間を示す。【０１４９】
図１７に示すように、合計時間表示図形３１ｔに隣接して設けられる動作可能時間表示部６１には、３つの電池の合計電池残量による動作可能時間（図示例では３時間）が表示される。【０１５０】
図１８に示すように、個別時間表示図形３２Ａｔに隣接して設けられる動作可能時間表示部６２には、電池Ａの残量による動作可能時間（図１８の図示例では１時間）が表示され、動作可能時間比率表示部６３には、合計電池残量による動作可能時間に対する電池Ａの残量による動作可能時間の比率（図１８の図示例では３３．３％）が表示される。図１６に示すように、個別時間表示図形３２Ｂｔ，３２Ｃｔに対しても、同様の内容が表示される。【０１５１】
上記説明のように、第２の実施の形態によれば、第１の実施の形態と同様の効果に加えて、電池の残量の状況を動作可能時間の情報としてユーザに認知させることができる。【０１５２】
なお、図１６では、個別時間表示図形３２Ａｔ〜３２Ｃｔを残量の記憶順に上から順に配列する例を示したが、第１の実施の形態と同様に、残量（動作可能時間の長さ）の大きさの順番に従って配列して表示してもよい。【０１５３】
また、第２の実施の形態においても、合計時間表示図形３１ｔと個別時間表示図形３２Ａｔ〜３２Ｃｔとの双方を同時に表示した例を示しているが、合計時間表示図形３１ｔのみであってもよく、個別時間表示図形３２Ａｔ〜３２Ｃｔのみであってもよい。勿論、双方を表示することが好ましい。合計時間表示図形３１ｔと個別時間表示図形３２Ａｔ〜３２Ｃｔとを選択的に表示するようにしてもよい。さらには、図形を表示することが好ましいが、１ｈ００ｍ，０ｈ３０ｍのような動作可能時間（残り時間）を直接的に表す数字文字列のみであってもよい。使用中の電池２０の残量により動作可能な動作可能時間を示す第１の動作可能時間情報と、電池残量記憶部５に残量を記憶させた使用中の電池以外の非使用中の電池の残量により動作可能な動作可能時間を示す第２の動作可能時間情報を表示するものであればよい。【０１５４】
また、第１の実施の形態の図５における残量の表記を単に動作可能時間に置換した図形としてもよい。
【産業上の利用の可能性】
【０１５５】
本発明は、ビデオカメラ、デジタルカメラ、ノート型ＰＣ、携帯電話等の携帯型電子機器やその他の電池によって駆動される任意の電子機器に適用できる。
【図１】
2010032319.tif 000003
【図２Ａ】
2010032319.tif 000004
【図２Ｂ】
2010032319.tif 000005
【図３】
2010032319.tif 000006
【図４】
2010032319.tif 000007
【図５】
2010032319.tif 000008
【図６】
2010032319.tif 000009
【図７】
2010032319.tif 000010
【図８】
2010032319.tif 000011
【図９】
2010032319.tif 000012
【図１０】
2010032319.tif 000013
【図１１】
2010032319.tif 000014
【図１２】
2010032319.tif 000015
【図１３】
2010032319.tif 000016
【図１４Ａ】
2010032319.tif 000017
【図１４Ｂ】
2010032319.tif 000018
【図１５】
2010032319.tif 000019
【図１６】
2010032319.tif 000020
【図１７】
2010032319.tif 000021
【図１８】
2010032319.tif 000022
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
画面表示部と、
前記電池残量記憶部に記憶されていない新たな電池が前記電子機器に装着された場合に、前記新たな電池の残量を前記電池残量記憶部に記憶させるか否かをユーザに選択させるためのメッセージを前記画面表示部に表示させるメッセージ送出部と、
前記新たな電池の残量を記憶する指示信号が入力された場合に、前記電池残量算出部により算出された前記新たな電池の残量を、前記新たな電池のＩＤと対応付けて前記電池残量記憶部に記憶させる残量記憶制御部と、
前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部と
を備えることを特徴とする電子機器。
【請求項２】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
前記複数の電池それぞれの残量に基づいて、前記複数の電池それぞれによって前記電子機器が動作可能な動作可能時間を算出する動作可能時間算出部と、
画面表示部と、
前記電池残量記憶部に記憶されていない新たな電池が前記電子機器に装着された場合に、前記新たな電池の残量を前記電池残量記憶部に記憶させるか否かをユーザに選択させるためのメッセージを前記画面表示部に表示させるメッセージ送出部と、
前記新たな電池の残量を記憶する指示信号が入力された場合に、前記電池残量算出部により算出された前記新たな電池の残量を、前記新たな電池のＩＤと対応付けて前記電池残量記憶部に記憶させる残量記憶制御部と、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と
を備えることを特徴とする電子機器。
【請求項３】
前記電子機器で使用可能な複数種類の電池の容量を電池の種類情報と対応付けて記憶する電池容量記憶部をさらに備え、
前記電池残量算出部は、前記電池容量記憶部に記憶された電池の容量を用いて電池の残量を算出することを特徴とする請求項１または２に記載の電子機器。
【請求項４】
前記電池残量記憶部は、前記複数の電池の電池ＩＤと対応付けて前記複数の電池それぞれの残量を記憶した残量記憶時刻を記憶することを特徴とする請求項１乃至３のいずれか１項に記載の電子機器。
【請求項５】
前記使用中の電池の残量を既定時間ごとに前記電池残量算出部に算出させ、前記電池残量記憶部に記憶された前記使用中の電池の残量を、前記既定時間ごとに前記電池残量算出部で算出された値に更新するとともに、前記電池残量記憶部に記憶された前記使用中の電池の前記残量記憶時刻を、残量を更新した時刻に変更する残量更新制御部をさらに備えることを特徴とする請求項４に記載の電子機器。
【請求項６】
前記電子機器で使用可能な複数種類の電池の単位時間あたりの自己消費電力を電池の種類情報と対応付けて記憶する自己消費電力記憶部と、
前記電池残量記憶部に記憶された前記残量記憶時刻と現在時刻との差および前記単位時間あたりの自己消費電力に基づいて残量補正値を算出し、前記電池残量記憶部に記憶された電池の残量を前記残量補正値により補正する電池残量補正部と
をさらに備えることを特徴とする請求項４または５に記載の電子機器。
【請求項７】
（削除）
【請求項８】
前記電池残量記憶部に残量が記憶された電池から選択される１つの電池の残量を消去する指示信号が入力された場合に、前記電池残量記憶部から、前記指示信号により指示された電池の電池ＩＤと残量とを消去する残量消去制御部をさらに備えることを特徴とする請求項１乃至６のいずれか１項に記載の電子機器。
【請求項９】
前記表示制御部は、前記第１の残量情報として前記使用中の電池の残量を示す第１の表示図形と、前記第２の残量情報として前記非使用中の電池の残量を示す第２の表示図形とを個別に前記画面表示部に表示するよう制御することを特徴とする請求項１に記載の電子機器。
【請求項１０】
前記表示制御部は、前記第１および第２の表示図形に対応してそれぞれの電池の電池ＩＤを前記画面表示部に表示するよう制御することを特徴とする請求項９に記載の電子機器。
【請求項１１】
前記第１の表示図形は、前記使用中の電池の容量を示す容量表示部分と前記使用中の電池の残量を示す残量表示部分とを含み、
前記第２の表示図形は、前記非使用中の電池の容量を示す容量表示部分と前記非使用中の電池の残量を示す残量表示部分とを含み、
前記表示制御部は、前記第１および第２の表示図形における前記容量表示部分および残量表示部分を、それぞれの容量および残量に応じた大きさで表示するよう制御することを特徴とする請求項９または１０に記載の電子機器。
【請求項１２】
前記表示制御部は、前記第１および第２の表示図形に対応して、前記容量表示部分に対する前記残量表示部分の比率を前記画面表示部に表示するよう制御することを特徴とする請求項１１に記載の電子機器。
【請求項１３】
前記表示制御部は、前記第１の動作可能時間情報として前記使用中の電池による動作可能時間を示す数字および文字を含む第１の数字文字列と、前記第２の動作可能時間情報として前記非使用中の電池による動作可能時間を示す数字および文字を含む第２の数字文字列とを個別に前記画面表示部に表示するよう制御することを特徴とする請求項２に記載の電子機器。
【請求項１４】
前記表示制御部は、前記第１および第２の数字文字列に対応してそれぞれの電池の電池ＩＤを前記画面表示部に表示するよう制御することを特徴とする請求項１３に記載の電子機器。
【請求項１５】
前記表示制御部は、前記第１の動作可能時間情報として前記使用中の電池による動作可能時間を示す第１の表示図形と、前記第２の動作可能時間情報として前記非使用中の電池による動作可能時間を示す第２の表示図形とを個別に前記画面表示部に表示するよう制御することを特徴とする請求項２に記載の電子機器。
【請求項１６】
前記表示制御部は、前記第１および第２の表示図形に対応してそれぞれの電池の電池ＩＤを前記画面表示部に表示するよう制御することを特徴とする請求項１５に記載の電子機器。
【請求項１７】
前記第１の表示図形は、前記使用中の電池の容量に基づく動作可能時間を示す第１の表示部分と前記使用中の電池の残量に基づく動作可能時間を示す第２の表示部分とを含み、
前記第２の表示図形は、前記非使用中の電池の容量に基づく動作可能時間を示す第１の表示部分と前記非使用中の電池の残量に基づく動作可能時間を示す第２の表示部分とを含み、
前記表示制御部は、前記第１および第２の表示図形における前記第１および第２の表示部分を、それぞれの動作可能時間に応じた大きさで表示するよう制御することを特徴とする請求項１５または１６に記載の電子機器。
【請求項１８】
前記表示制御部は、前記第１および第２の表示図形に対応して、前記第１の表示部分に対する前記第２の表示部分の比率を前記画面表示部に表示するよう制御することを特徴とする請求項１７に記載の電子機器。
【請求項１９】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
画面表示部と、
前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部と、
前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、
前記表示制御部は、前記合計電池容量を示す合計容量表示部分と前記合計電池残量を示す合計残量表示部分とを含む合計容量残量表示図形を前記画面表示部に表示するよう制御することを特徴とする電子機器。
【請求項２０】
前記合計容量残量表示図形における前記合計残量表示部分は、前記第１の残量情報を示す残量表示部分と前記第２の残量情報を示す残量表示部分とを連結したものであることを特徴とする請求項１９に記載の電子機器。
【請求項２１】
前記表示制御部は、前記第１の残量情報を示す残量表示部分と前記第２の残量情報を示す残量表示部分を、それぞれの残量に応じた大きさで表示するよう制御することを特徴とする請求項１９または２０に記載の電子機器。
【請求項２２】
前記表示制御部は、前記合計容量表示部分に対する前記合計残量表示部分の比率を前記画面表示部に表示するよう制御することを特徴とする請求項１９乃至２１のいずれか１項に記載の電子機器。
【請求項２３】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
前記複数の電池それぞれの残量に基づいて、前記複数の電池それぞれによって前記電子機器が動作可能な動作可能時間を算出する動作可能時間算出部と、
画面表示部と、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、
前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、
前記表示制御部は、前記電子機器が前記合計電池残量により動作可能な動作可能時間を示す数字および文字を含む数字文字列を前記画面表示部に表示するよう制御することを特徴とする電子機器。
【請求項２４】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
前記複数の電池それぞれの残量に基づいて、前記複数の電池それぞれによって前記電子機器が動作可能な動作可能時間を算出する動作可能時間算出部と、
画面表示部と、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、
前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、
前記表示制御部は、前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示するよう制御することを特徴とする電子機器。
【請求項２５】
前記合計残り時間表示部分は、前記第１の動作可能時間情報を示す残り時間表示部分と前記第２の動作可能時間情報を示す残り時間表示部分とを連結したものであることを特徴とする請求項２４に記載の電子機器。
【請求項２６】
前記表示制御部は、前記第１の動作可能時間情報を示す残り時間表示部分と前記第２の動作可能時間情報を示す残り時間表示部分を、それぞれの残り時間に応じた大きさで表示するよう制御することを特徴とする請求項２５に記載の電子機器。
【請求項２７】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記電池残量記憶部に記憶されていない新たな電池が前記電子機器に装着された場合に、前記新たな電池の残量を前記電池残量記憶部に記憶させるか否かをユーザに選択させるためのメッセージを画面表示部に表示し、
前記新たな電池の残量を記憶する指示信号が入力された場合に、算出された前記新たな電池の残量を、前記新たな電池のＩＤと対応付けて前記電池残量記憶部に記憶し、
前記使用中の電池の残量を示す第１の残量情報と、前記電池残量記憶部に残量を記憶させた前記使用中の電池以外の非使用中の電池の残量を示す第２の残量情報とを前記画面表示部に表示する
ことを特徴とする電池残量表示方法。
【請求項２８】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記電池残量記憶部に記憶されていない新たな電池が前記電子機器に装着された場合に、前記新たな電池の残量を前記電池残量記憶部に記憶させるか否かをユーザに選択させるためのメッセージを画面表示部に表示し、
前記新たな電池の残量を記憶する指示信号が入力された場合に、算出された前記新たな電池の残量を、前記新たな電池のＩＤと対応付けて前記電池残量記憶部に記憶し、
前記電池残量記憶部に記憶された前記複数の電池それぞれの残量に基づいて、前記複数の電池それぞれによって前記電子機器が動作可能な動作可能時間を算出し、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示する
ことを特徴とする動作可能時間表示方法。
【請求項２９】
前記電子機器で使用可能な複数種類の電池の容量を電池の種類情報と対応付けて記憶する電池容量記憶部から電池の容量を読み出し、
前記電池の残量を前記電池容量記憶部より読み出した電池の容量を用いて算出することを特徴とする請求項２７に記載の電池残量表示方法。
【請求項３０】
前記電子機器で使用可能な複数種類の電池の容量を電池の種類情報と対応付けて記憶する電池容量記憶部から電池の容量を読み出し、
前記電池による動作可能時間を前記電池容量記憶部より読み出した電池の容量を用いて算出することを特徴とする請求項２８に記載の動作可能時間表示方法。
【請求項３１】
前記複数の電池の電池ＩＤと対応付けて前記複数の電池それぞれの残量を記憶した残量記憶時刻を前記電池残量記憶部に記憶することを特徴とする請求項２７または２９に記載の電池残量表示方法。
【請求項３２】
前記複数の電池の電池ＩＤと対応付けて前記複数の電池それぞれの残量を記憶した残量記憶時刻を前記電池残量記憶部に記憶することを特徴とする請求項２８または３０に記載の動作可能時間表示方法。
【請求項３３】
前記使用中の電池の残量を既定時間ごとに算出し、前記電池残量記憶部に記憶された前記使用中の電池の残量を算出した残量に更新するとともに、前記電池残量記憶部に記憶された前記使用中の電池の前記残量記憶時刻を、残量を更新した時刻に変更することを特徴とする請求項３１に記載の電池残量表示方法。
【請求項３４】
前記使用中の電池の残量を既定時間ごとに算出し、前記電池残量記憶部に記憶された前記使用中の電池の残量を算出した残量に更新するとともに、前記電池残量記憶部に記憶された前記使用中の電池の前記残量記憶時刻を、残量を更新した時刻に変更することを特徴とする請求項３２に記載の動作可能時間表示方法。
【請求項３５】
前記電子機器で使用可能な複数種類の電池の単位時間あたりの自己消費電力を電池の種類情報と対応付けて記憶する自己消費電力記憶部から自己消費電力を読み出し、
前記電池残量記憶部に記憶された前記残量記憶時刻と現在時刻との差および前記単位時間あたりの自己消費電力に基づいて残量補正値を算出し、前記電池残量記憶部に記憶された電池の残量を前記残量補正値により補正することを特徴とする請求項３１または３３に記載の電池残量表示方法。
【請求項３６】
前記電子機器で使用可能な複数種類の電池の単位時間あたりの自己消費電力を電池の種類情報と対応付けて記憶する自己消費電力記憶部から自己消費電力を読み出し、
前記電池残量記憶部に記憶された前記残量記憶時刻と現在時刻との差および前記単位時間あたりの自己消費電力に基づいて残量補正値を算出し、前記電池残量記憶部に記憶された電池の残量を前記残量補正値により補正することを特徴とする請求項３２または３４に記載の動作可能時間表示方法。
【請求項３７】
（削除）
【請求項３８】
（削除）
【請求項３９】
前記電池残量記憶部に残量が記憶された電池から選択される１つの電池の残量を消去する指示信号が入力された場合に、前記電池残量記憶部から、前記指示信号により指示された電池の電池ＩＤと残量とを消去することを特徴とする請求項２７，２９，３１，３３，３５のいずれか１項に記載の電池残量表示方法。
【請求項４０】
前記電池残量記憶部に残量が記憶された電池から選択される１つの電池の残量を消去する指示信号が入力された場合に、前記電池残量記憶部から、前記指示信号により指示された電池の電池ＩＤと残量とを消去することを特徴とする請求項２８，３０，３２，３４，３６のいずれか１項に記載の動作可能時間表示方法。
【請求項４１】
前記第１の残量情報として前記使用中の電池の残量を示す第１の表示図形と、前記第２の残量情報として前記非使用中の電池の残量を示す第２の表示図形とを個別に前記画面表示部に表示することを特徴とする請求項２７に記載の電池残量表示方法。
【請求項４２】
前記第１および第２の表示図形に対応してそれぞれの電池の電池ＩＤを前記画面表示部に表示することを特徴とする請求項４１に記載の電池残量表示方法。
【請求項４３】
前記第１の表示図形は、前記使用中の電池の容量を示す容量表示部分と前記使用中の電池の残量を示す残量表示部分とを含み、
前記第２の表示図形は、前記非使用中の電池の容量を示す容量表示部分と前記非使用中の電池の残量を示す残量表示部分とを含み、
前記第１および第２の表示図形における前記容量表示部分および残量表示部分を、それぞれの容量および残量に応じた大きさで表示するよう制御することを特徴とする請求項４１または４２に記載の電池残量表示方法。
【請求項４４】
前記第１および第２の表示図形に対応して、前記容量表示部分に対する前記残量表示部分の比率を前記画面表示部に表示することを特徴とする請求項４３に記載の電池残量表示方法。
【請求項４５】
前記第１の動作可能時間情報として前記使用中の電池による動作可能時間を示す数字および文字を含む第１の数字文字列と、前記第２の動作可能時間情報として前記非使用中の電池による動作可能時間を示す数字および文字を含む第２の数字文字列とを個別に前記画面表示部に表示することを特徴とする請求項２８に記載の動作可能時間表示方法。
【請求項４６】
前記第１および第２の数字文字列に対応してそれぞれの電池の電池ＩＤを前記画面表示部に表示することを特徴とする請求項４５に記載の動作可能時間表示方法。
【請求項４７】
前記第１の動作可能時間情報として前記使用中の電池による動作可能時間を示す第１の表示図形と、前記第２の動作可能時間情報として前記非使用中の電池による動作可能時間を示す第２の表示図形とを個別に前記画面表示部に表示することを特徴とする請求項２８に記載の動作可能時間表示方法。
【請求項４８】
前記第１および第２の表示図形に対応してそれぞれの電池の電池ＩＤを前記画面表示部に表示することを特徴とする請求項４７に記載の動作可能時間表示方法。
【請求項４９】
前記第１の表示図形は、前記使用中の電池の容量に基づく動作可能時間を示す第１の表示部分と前記使用中の電池の残量に基づく動作可能時間を示す第２の表示部分とを含み、
前記第２の表示図形は、前記非使用中の電池の容量に基づく動作可能時間を示す第１の表示部分と前記非使用中の電池の残量に基づく動作可能時間を示す第２の表示部分とを含み、
前記第１および第２の表示図形における前記第１および第２の表示部分を、それぞれの動作可能時間に応じた大きさで表示することを特徴とする請求項４７または４８に記載の動作可能時間表示方法。
【請求項５０】
前記第１および第２の表示図形に対応して、前記第１の表示部分に対する前記第２の表示部分の比率を前記画面表示部に表示することを特徴とする請求項４９に記載の動作可能時間表示方法。
【請求項５１】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、
前記使用中の電池の残量を示す第１の残量情報と、前記の非使用中の電池の残量を示す第２の残量情報とを画面表示部に表示し、
前記合計電池容量を示す合計容量表示部分と前記合計電池残量を示す合計残量表示部分とを含む合計容量残量表示図形を前記画面表示部に表示する
ことを特徴とする電池残量表示方法。
【請求項５２】
前記合計容量残量表示図形における前記合計残量表示部分は、前記第１の残量情報を示す残量表示部分と前記第２の残量情報を示す残量表示部分とを連結したものであることを特徴とする請求項５１に記載の電池残量表示方法。
【請求項５３】
前記第１の残量情報を示す残量表示部分と前記第２の残量情報を示す残量表示部分を、それぞれの残量に応じた大きさで表示することを特徴とする請求項５１または５２に記載の電池残量表示方法。
【請求項５４】
前記合計容量表示部分に対する前記合計残量表示部分の比率を前記画面表示部に表示することを特徴とする請求項５１乃至５３のいずれか１項に記載の電池残量表示方法。
【請求項５５】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記複数の電池それぞれの残量に基づいて、前記複数の電池それぞれによって前記電子機器が動作可能な動作可能時間を算出し、
前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、
前記使用中の電池による動作可能時間を示す第１の動作可能時間情報と、前記非使用中の電池による動作可能時間を示す第２の動作可能時間情報とを画面表示部に表示し、
前記電子機器が前記合計電池残量により動作可能な動作可能時間を示す数字および文字を含む数字文字列を前記画面表示部に表示する
ことを特徴とする動作可能時間表示方法。
【請求項５６】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記複数の電池それぞれの残量に基づいて、前記複数の電池それぞれによって前記電子機器が動作可能な動作可能時間を算出し、
前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、
前記使用中の電池による動作可能時間を示す第１の動作可能時間情報と、前記非使用中の電池による動作可能時間を示す第２の動作可能時間情報とを画面表示部に表示し、
前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示する
ことを特徴とする動作可能時間表示方法。
【請求項５７】
前記合計残り時間表示部分は、前記第１の動作可能時間情報を示す残り時間表示部分と前記第２の動作可能時間情報を示す残り時間表示部分とを連結したものであることを特徴とする請求項５６に記載の動作可能時間表示方法。
【請求項５８】
前記第１の動作可能時間情報を示す残り時間表示部分と前記第２の動作可能時間情報を示す残り時間表示部分を、それぞれの残り時間に応じた大きさで表示するよう制御することを特徴とする請求項５７に記載の動作可能時間表示方法。
【手続補正２】
【補正対象書類名】明細書
【補正対象項目名】０００２
【補正方法】変更
【補正の内容】
【０００２】
ない。このため、ユーザは、使用中の電池以外に交換用として携帯している電池等も含めた合計の残量や、この残量による機器の動作可能時間を把握することができなかった。
［０００７］
上述の特許文献１，２はいずれも、機器に装着されている電池の残量を表示するものであり、機器に装着されていない電池の残量を表示することはできなかった。
［０００８］
本発明は上記に鑑みてなされたもので、使用中の電池の残量と、使用中でない電池の残量とを合わせて表示することができ、また、使用中の電池の残量による動作可能時間と、使用中でない電池の残量による動作可能時間とを合わせて表示することができる電子機器、これに用いる電池残量表示方法および動作可能時間表示方法を提供することを目的とする。
課題を解決するための手段
［０００９］
本発明の一態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、画面表示部と、前記電池残量記憶部に記憶されていない新たな電池が前記電子機器に装着された場合に、前記新たな電池の残量を前記電池残量記憶部に記憶させるか否かをユーザに選択させるためのメッセージを前記画面表示部に表示させるメッセージ送出部と、前記新たな電池の残量を記憶する指示信号が入力された場合に、前記電池残量算出部により算出された前記新たな電池の残量を、前記新たな電池のＩＤと対応付けて前記電池残量記憶部に記憶させる残量記憶制御部と、前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部とを備えることを特徴とする電子機器が提供される。
［００１０］
本発明の他の態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、前記複数の電池それぞれの残量に基づいて、前記複数の電池それぞれによって前記電子機器が動作可能な動作可能時間を算出する動作可能時間算出部と、画面表示部と、前記電池残量記憶部に記憶されていない新たな電池が前記電子機器に装着された場合に、前記新たな電池の残量を前記電池残量記憶部に記憶させるか否かをユーザに選択させるためのメッセージを前記画面表示部に表示させるメッセージ送出部と、前記新たな電池の残量を記憶する指示信号が入力された場合に、前記電池残量算出部により算出された前記新たな電池の残量を、前記新たな電池のＩＤと対応付けて前記電池残量記憶部に記憶させる残量記憶制御部と、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表
【手続補正３】
【補正対象書類名】明細書
【補正対象項目名】０００３
【補正方法】変更
【補正の内容】
【０００３】
示部に表示するよう制御する表示制御部とを備えることを特徴とする電子機器が提供される。
本発明の他の態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、画面表示部と、前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部と、前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、前記表示制御部は、前記合計電池容量を示す合計容量表示部分と前記合計電池残量を示す合計残量表示部分とを含む合計容量残量表示図形を前記画面表示部に表示するよう制御することを特徴とする電子機器が提供される。
本発明の他の態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、前記複数の電池それぞれの残量に基づいて、前記複数の電池それぞれによって前記電子機器が動作可能な動作可能時間を算出する動作可能時間算出部と、画面表示部と、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、前記表示制御部は、前記電子機器が前記合計電池残量により動作可能な動作可能時間を示す数字および文字を含む数字文字列を前記画面表示部に表示するよう制御することを特徴とする電子機器が提供される。
本発明の他の態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、前記複数の電池それぞれの残量に基づいて、前記複数の電池それぞれによって前記電子機器が動作可能な動作可能時間を算出する動作可能時間算出部と、画面表示部と、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、前記表示制御部は、前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示するよう制御することを特徴とする電子機器が提供される。
［００１１］
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記電池残量記憶部に記憶されていない新たな電池が前記電子機器に装着された場合に、前記新たな電池の残量を前記電池残量記憶部に記憶させるか否かをユーザに選択させるためのメッセージを画面表示部に表示し、前記新たな電池の残量を記憶する指示信号が入力された場合に、算出された前記新たな電池の残量を、前記新たな電池のＩＤと対応付けて前記電池残量記憶部に記憶し、前記使用中の電池の残量を示す第１の残量情報と、前記電池残量記憶部に残量を記憶させた前記使用中の電池以外の非使用中の電池の残量を示す第２の残量情報と前記画面表示部に表示することを特徴とする電池残量表示方法が提供される。
［００１２］
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記電池残量記憶部に記憶されていない新たな電池が前記電子機器に装着された場合に、前記新たな電池の残量を前記電池残量記憶部に記憶させるか否かをユーザに選択させるためのメッセージを画面表示部に表示し、前記新たな電池の残量を記憶する指示信号が入力された場合に、算出された前記新たな電池の残量を、前記新たな電池のＩＤと対応付けて前記電池残量記憶部に記憶し、前記電池残量記憶部に記憶された前記複数の電池それぞれの残量に基づいて、前記複数の電池それぞれによって前記電子機器が動作可能な動作可能時間を算出し、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示することを特徴とする動作可能時間表示方法が提供される。
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、前記使用中の電池の残量を示す第１の残量情報と、前記の非使用中の電池の残量を示す第２の残量情報とを画面表示部に表示し、前記合計電池容量を示す合計容量表示部分と前記合計電池残量を示す合計残量表示部分とを含む合計容量残量表示図形を前記画面表示部に表示することを特徴とする電池残量表示方法が提供される。
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記複数の電池それぞれの残量に基づいて、前記複数の電池それぞれによって前記電子機器が動作可能な動作可能時間を算出し、前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、前記使用中の電池による動作可能時間を示す第１の動作可能時間情報と、前記非使用中の電池による動作可能時間を示す第２の動作可能時間情報とを画面表示部に表示し、前記電子機器が前記合計電池残量により動作可能な動作可能時間を示す数字および文字を含む数字文字列を前記画面表示部に表示することを特徴とする動作可能時間表示方法が提供される。
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記複数の電池それぞれの残量に基づいて、前記複数の電池それぞれによって前記電子機器が動作可能な動作可能時間を算出し、前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、前記使用中の電池による動作可能時間を示す第１の動作可能時間情報と、前記非使用中の電池による動作可能時間を示す第２の動作可能時間情報とを画面表示部に表示し、前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示することを特徴とする動作可能時間表示方法が提供される。
発明の効果
［００１３］
本発明によれば、使用中の電池の残量と、使用中でない電池の残量とを合わせて表示することができる。また、使用中の電池の残量による動作可能時間と、使用中でない電池の残量による動作可能時間とを合わせて表示することができる。
図面の簡単な説明
［００１４］
［図１］本発明の第１の実施の形態に係る電子機器の構成を示すブロック図である。
［図２Ａ］第１の実施の形態における電子機器の動作を示すフローチャートである。
［図２Ｂ］第１の実施の形態における電子機器の動作を示すフローチャートである。
［図３］第１の実施の形態における記憶済み電池の残量補正処理の手順を示すフローチャートである。
［図４］第１の実施の形態における残量表示処理の手順を示すフローチャートである。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
画面表示部と、
前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部と、
前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、
前記表示制御部は、前記合計電池容量を示す合計容量表示部分と前記合計電池残量を示す合計残量表示部分とを含む合計容量残量表示図形を前記画面表示部に表示するよう制御することを特徴とする電子機器。
【請求項２】
前記合計容量残量表示図形における前記合計残量表示部分は、前記第１の残量情報を示す残量表示部分と前記第２の残量情報を示す残量表示部分とを連結したものであることを特徴とする請求項１に記載の電子機器。
【請求項３】
前記表示制御部は、前記第１の残量情報を示す残量表示部分と前記第２の残量情報を示す残量表示部分を、それぞれの残量に応じた大きさで表示するよう制御することを特徴とする請求項１または２に記載の電子機器。
【請求項４】
前記表示制御部は、前記合計容量表示部分に対する前記合計残量表示部分の比率を前記画面表示部に表示するよう制御することを特徴とする請求項１乃至３のいずれか１項に記載の電子機器。
【請求項５】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
前記複数の電池それぞれの残量に基づいて、前記複数の電池それぞれによって前記電子機器が動作可能な動作可能時間を算出する動作可能時間算出部と、
画面表示部と、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、
前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、
前記表示制御部は、前記電子機器が前記合計電池残量により動作可能な動作可能時間を示す数字および文字を含む数字文字列を前記画面表示部に表示するよう制御することを特徴とする電子機器。
【請求項６】
電池からの電力によって動作する電子機器において、
前記電子機器に装着された使用中の電池から電池ＩＤを読み取るＩＤ読み取り部と、
前記使用中の電池の残量を算出する電池残量算出部と、
前記電子機器に選択的に装着した複数の電池の残量を、それぞれの電池ＩＤと対応付けて記憶する電池残量記憶部と、
前記複数の電池それぞれの残量に基づいて、前記複数の電池それぞれによって前記電子機器が動作可能な動作可能時間を算出する動作可能時間算出部と、
画面表示部と、
前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、
前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、
前記表示制御部は、前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示するよう制御することを特徴とする電子機器。
【請求項７】
前記合計残り時間表示部分は、前記第１の動作可能時間情報を示す残り時間表示部分と前記第２の動作可能時間情報を示す残り時間表示部分とを連結したものであることを特徴とする請求項６に記載の電子機器。
【請求項８】
前記表示制御部は、前記第１の動作可能時間情報を示す残り時間表示部分と前記第２の動作可能時間情報を示す残り時間表示部分を、それぞれの残り時間に応じた大きさで表示するよう制御することを特徴とする請求項７に記載の電子機器。
【請求項９】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、
前記使用中の電池の残量を示す第１の残量情報と、前記の非使用中の電池の残量を示す第２の残量情報とを画面表示部に表示し、
前記合計電池容量を示す合計容量表示部分と前記合計電池残量を示す合計残量表示部分とを含む合計容量残量表示図形を前記画面表示部に表示する
ことを特徴とする電池残量表示方法。
【請求項１０】
前記合計容量残量表示図形における前記合計残量表示部分は、前記第１の残量情報を示す残量表示部分と前記第２の残量情報を示す残量表示部分とを連結したものであることを特徴とする請求項９に記載の電池残量表示方法。
【請求項１１】
前記第１の残量情報を示す残量表示部分と前記第２の残量情報を示す残量表示部分を、それぞれの残量に応じた大きさで表示することを特徴とする請求項９または１０に記載の電池残量表示方法。
【請求項１２】
前記合計容量表示部分に対する前記合計残量表示部分の比率を前記画面表示部に表示することを特徴とする請求項９乃至１１のいずれか１項に記載の電池残量表示方法。
【請求項１３】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記複数の電池それぞれの残量に基づいて、前記複数の電池それぞれによって前記電子機器が動作可能な動作可能時間を算出し、
前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、
前記使用中の電池による動作可能時間を示す第１の動作可能時間情報と、前記非使用中の電池による動作可能時間を示す第２の動作可能時間情報とを画面表示部に表示し、
前記電子機器が前記合計電池残量により動作可能な動作可能時間を示す数字および文字を含む数字文字列を前記画面表示部に表示する
ことを特徴とする動作可能時間表示方法。
【請求項１４】
電子機器に装着された使用中の電池から電池ＩＤを読み取り、
前記使用中の電池の残量を算出し、
前記電子機器に選択的に装着した複数の電池の残量を、それぞれの電池ＩＤと対応付けて電池残量記憶部に記憶し、
前記複数の電池それぞれの残量に基づいて、前記複数の電池それぞれによって前記電子機器が動作可能な動作可能時間を算出し、
前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、
前記使用中の電池による動作可能時間を示す第１の動作可能時間情報と、前記非使用中の電池による動作可能時間を示す第２の動作可能時間情報とを画面表示部に表示し、
前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示する
ことを特徴とする動作可能時間表示方法。
【請求項１５】
前記合計残り時間表示部分は、前記第１の動作可能時間情報を示す残り時間表示部分と前記第２の動作可能時間情報を示す残り時間表示部分とを連結したものであることを特徴とする請求項１４に記載の動作可能時間表示方法。
【請求項１６】
前記第１の動作可能時間情報を示す残り時間表示部分と前記第２の動作可能時間情報を示す残り時間表示部分を、それぞれの残り時間に応じた大きさで表示することを特徴とする請求項１５に記載の動作可能時間表示方法。
【手続補正２】
【補正対象書類名】明細書
【補正対象項目名】０００９
【補正方法】変更
【補正の内容】
【０００９】
本発明の一態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、画面表示部と、前記使用中の電池の残量を示す第１の残量情報と、前記電池残量記憶部に残量を記憶させた前記使用中の電池以外の非使用中の電池の残量を示す第２の残量情報とを前記画面表示部に表示するよう制御する表示制御部と、前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、前記表示制御部は、前記合計電池容量を示す合計容量表示部分と前記合計電池残量を示す合計残量表示部分とを含む合計容量残量表示図形を前記画面表示部に表示するよう制御することを特徴とする電子機器が提供される。
【手続補正３】
【補正対象書類名】明細書
【補正対象項目名】００１０
【補正方法】変更
【補正の内容】
【００１０】
本発明の他の態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、前記複数の電池それぞれの残量に基づいて、前記複数の電池それぞれによって前記電子機器が動作可能な動作可能時間を算出する動作可能時間算出部と、画面表示部と、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、前記表示制御部は、前記電子機器が前記合計電池残量により動作可能な動作可能時間を示す数字および文字を含む数字文字列を前記画面表示部に表示するよう制御することを特徴とする電子機器が提供される。
本発明の他の態様によれば、電池からの電力によって動作する電子機器において、前記電子機器に装着された使用中の電池から電池ＩＤを読み取るＩＤ読み取り部と、前記使用中の電池の残量を算出する電池残量算出部と、前記電子機器に選択的に装着した複数の電池の残量を、それぞれの電池ＩＤと対応付けて記憶する電池残量記憶部と、前記複数の電池それぞれの残量に基づいて、前記複数の電池それぞれによって前記電子機器が動作可能な動作可能時間を算出する動作可能時間算出部と、画面表示部と、前記使用中の電池による動作可能時間を示す第１の動作可能時間情報と、前記電池残量記憶部に残量を記憶させた前記使用中の電池以外の非使用中の電池による動作可能時間を示す第２の動作可能時間情報とを前記画面表示部に表示するよう制御する表示制御部と、前記使用中の電池の容量と前記非使用中の電池の容量との合計である合計電池容量を算出するとともに、前記使用中の電池の残量と前記非使用中の電池の残量との合計である合計電池残量を算出する容量残量合算部とを備え、前記表示制御部は、前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示するよう制御することを特徴とする電子機器が提供される。
【手続補正４】
【補正対象書類名】明細書
【補正対象項目名】００１１
【補正方法】変更
【補正の内容】
【００１１】
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、前記使用中の電池の残量を示す第１の残量情報と、前記の非使用中の電池の残量を示す第２の残量情報とを画面表示部に表示し、前記合計電池容量を示す合計容量表示部分と前記合計電池残量を示す合計残量表示部分とを含む合計容量残量表示図形を前記画面表示部に表示することを特徴とする電池残量表示方法が提供される。
【手続補正５】
【補正対象書類名】明細書
【補正対象項目名】００１２
【補正方法】変更
【補正の内容】
【００１２】
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記複数の電池それぞれの残量に基づいて、前記複数の電池それぞれによって前記電子機器が動作可能な動作可能時間を算出し、前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、前記使用中の電池による動作可能時間を示す第１の動作可能時間情報と、前記非使用中の電池による動作可能時間を示す第２の動作可能時間情報とを画面表示部に表示し、前記電子機器が前記合計電池残量により動作可能な動作可能時間を示す数字および文字を含む数字文字列を前記画面表示部に表示することを特徴とする動作可能時間表示方法が提供される。
本発明の他の態様によれば、電子機器に装着された使用中の電池から電池ＩＤを読み取り、前記使用中の電池の残量を算出し、前記電子機器に選択的に装着した複数の電池の残量を、それぞれの電池ＩＤと対応付けて電池残量記憶部に記憶し、前記複数の電池それぞれの残量に基づいて、前記複数の電池それぞれによって前記電子機器が動作可能な動作可能時間を算出し、前記使用中の電池の容量と、前記電池残量記憶部に残量を記憶させた前記使用中の電池以外の非使用中の電池の容量との合計である合計電池容量を算出するとともに、前記使用中の電池の残量と前記非使用中の電池の残量との合計である合計電池残量を算出し、前記使用中の電池による動作可能時間を示す第１の動作可能時間情報と、前記非使用中の電池による動作可能時間を示す第２の動作可能時間情報とを画面表示部に表示し、前記電子機器が前記合計電池容量により動作可能な動作可能時間を示す合計時間表示部分と前記電子機器が前記合計電池残量により動作可能な動作可能時間を示す合計残り時間表示部分とを含む時間表示図形を前記画面表示部に表示することを特徴とする動作可能時間表示方法が提供される。
【国際調査報告】
2010032319.tif 000023
2010032319.tif 000024
2010032319.tif 000025
2010032319.tif 000026